(57)【要約】【課題】  機構の簡素化を確保した上で高変倍化を図る。【解決手段】  光路を折り曲げて第１の光軸方向と第２の光軸方向を設定し、第２の光軸方向へ移動可能とされた可動ユニット６３、６７、７１と、光軸方向が第１の光軸方向に設定された対物レンズ５５と光路を折り曲げる折曲部材５６とがレンズケース５４に配置されたレンズユニット５３と、レンズユニット及び可動ユニットを第２の光軸方向へ移動させる移動機構８０とを設け、レンズユニットを光学全長が最小とされる第１の位置と光学全長が最大とされる第２の位置との間で移動させ、レンズユニットを第２の位置に移動させた状態において、移動機構によって可動ユニットを第２の光軸方向へ移動させてズーミング動作を行うようにした。【選択図】        図７
2009128712.tif 000002
【特許請求の範囲】
【請求項１】
外筐の内部に配置された複数のレンズと該複数のレンズを介して撮影信号として取り込まれた撮影光を画像信号に変換する撮像素子とを有すると共に光路が所定の方向へ折り曲げられ第１の光軸方向と該第１の光軸方向に対して折り曲げられた第２の光軸方向とが設定されたレンズ鏡筒であって、
可動レンズと該可動レンズを保持するレンズホルダーとを有し前記第２の光軸方向へ移動可能とされた少なくとも一つの可動ユニットと、
光軸方向が前記第１の光軸方向に設定された対物レンズと前記光路を折り曲げる折曲部材とがレンズケースに配置されたレンズユニットと、
前記レンズユニット及び前記少なくとも一つの可動ユニットを前記第２の光軸方向へ移動させる移動機構とを備え、
前記レンズユニットを前記第２の光軸方向における光学全長が最小とされる第１の位置と前記第２の光軸方向における前記光学全長が最大とされる第２の位置との間で移動させ、
前記レンズユニットが前記第２の位置に移動された状態において、前記移動機構によって前記少なくとも一つの可動ユニットが前記第２の光軸方向へ移動されて画像の撮影倍率を変更するズーミング動作が行われるようにした
ことを特徴とするレンズ鏡筒。
【請求項２】
前記移動機構に所定の方向へ動作可能なカム部材を設け、
前記カム部材の動作によって前記レンズユニット及び前記可動ユニットの前記第２の光軸方向における移動が行われるようにした
ことを特徴とする請求項１に記載のレンズ鏡筒。
【請求項３】
前記カム部材として回転可能なカム筒を用い、
前記カム筒の回転軸方向を前記第２の光軸方向に一致させるようにした
ことを特徴とする請求項２に記載のレンズ鏡筒。
【請求項４】
前記カム部材として前記第１の光軸方向に直交し前記第２の光軸方向に直交する方向へ移動可能とされたカム板を用いた
ことを特徴とする請求項２に記載のレンズ鏡筒。
【請求項５】
手動で操作可能なマニュアル操作部に対する操作によって前記カム部材を動作させるようにした
ことを特徴とする請求項２に記載のレンズ鏡筒。
【請求項６】
前記カム部材に複数のカム溝を形成し、
前記レンズユニット及び前記可動ユニットにそれぞれ各カム溝に摺動自在に係合されるカムピンを設け、
前記レンズユニットに設けた前記カムピンを金属材料によって形成した
ことを特徴とする請求項２に記載のレンズ鏡筒。
【請求項７】
前記カム部材に複数のカム溝を形成し、
前記レンズユニット及び前記可動ユニットにそれぞれ各カム溝に摺動自在に係合されるカムピンを設け、
前記レンズユニットの前記カムピンを複数設けた
ことを特徴とする請求項２に記載のレンズ鏡筒。
【請求項８】
前記カム部材に複数のカム溝を形成し、
前記レンズユニット及び前記可動ユニットにそれぞれ各カム溝に摺動自在に係合されるカムピンを設け、
前記レンズユニットの前記カムピンが係合される前記カム部材のカム溝の開口縁に、前記カムピンの前記カム溝からの脱落を防止するリブを設けた
ことを特徴とする請求項２に記載のレンズ鏡筒。
【請求項９】
前記カム部材に複数のカム溝を形成し、
前記レンズユニット及び前記可動ユニットにそれぞれ各カム溝に摺動自在に係合されるカムピンを設け、
前記レンズユニットの前記カムピンの外形状を前記可動ユニットのカムピンの外形状より大きくした
ことを特徴とする請求項２に記載のレンズ鏡筒。
【請求項１０】
ケース体の内部に、外筐の内部に配置された複数のレンズと該複数のレンズを介して撮影信号として取り込まれた撮影光を画像信号に変換する撮像素子とを有すると共に光路が所定の方向へ折り曲げられ第１の光軸方向と該第１の光軸方向に対して折り曲げられた第２の光軸方向とが設定されたレンズ鏡筒が配置された撮像装置であって、
可動レンズと該可動レンズを保持するレンズホルダーとを有し前記第２の光軸方向へ移動可能とされた少なくとも一つの可動ユニットと、
光軸方向が前記第１の光軸方向に設定された対物レンズと前記光路を折り曲げる折曲部材とがレンズケースに配置されたレンズユニットと、
前記レンズユニット及び前記少なくとも一つの可動ユニットを前記第２の光軸方向へ移動させる移動機構とを備え、
前記レンズユニットを前記第２の光軸方向における光学全長が最小とされる第１の位置と前記第２の光軸方向における前記光学全長が最大とされる第２の位置との間で移動させ、
前記レンズユニットが前記第２の位置に移動された状態において、前記移動機構によって前記少なくとも一つの可動ユニットが前記第２の光軸方向へ移動されて画像の撮影倍率を変更するズーミング動作が行われるようにした
ことを特徴とする撮像装置。
【請求項１１】
前記第２の光軸方向を前記ケース体の厚み方向に直交する方向とし、
前記レンズユニットが前記第１の位置において前記ケース体に収納され前記第２の位置において前記ケース体から突出されるようにした
ことを特徴とする請求項１０に記載の撮像装置。
【請求項１２】
前記第１の光軸方向を前記ケース体の厚み方向とした
ことを特徴とする請求項１１に記載の撮像装置。
【請求項１３】
画像を撮影する撮影モードと撮影した画像を再生する再生モードとのモード切替が可能とされ、
前記撮影モードにおいて電源が投入されたときに前記レンズユニットが前記第１の位置から前記第２の位置に移動され、
前記再生モードにおいて電源が投入されたときに前記レンズユニットが前記第１の位置に保持されるようにした
ことを特徴とする請求項１０に記載の撮像装置。
【請求項１４】
前記移動機構に所定の方向へ動作可能なカム部材を設け、
前記カム部材の動作によって前記レンズユニット及び前記可動ユニットの前記第２の光軸方向における移動が行われるようにした
ことを特徴とする請求項１０に記載の撮像装置。
【請求項１５】
前記カム部材として回転可能なカム筒を用い、
前記カム筒の回転軸方向を前記ケース体の厚み方向に直交する方向に一致させるようにした
ことを特徴とする請求項１４に記載の撮像装置。
【請求項１６】
前記カム部材として厚み方向が前記ケース体の厚み方向に一致するカム板を用い、
前記カム板の移動方向を該カム板の厚み方向に直交する方向とした
ことを特徴とする請求項１４に記載の撮像装置。
【請求項１７】
手動で操作可能なマニュアル操作部に対する操作によって前記カム部材を動作させるようにした
ことを特徴とする請求項１６に記載の撮像装置。
【請求項１８】
前記マニュアル操作部として、前記ケース体に対してスライドすることにより前記対物レンズを開閉するスライドカバーを用いた
ことを特徴とする請求項１７に記載の撮像装置。
【発明の詳細な説明】
【技術分野】
【０００１】
本発明はレンズ鏡筒及び撮像装置についての技術分野に関する。詳しくは、移動機構によってレンズユニットを移動させると共に可動ユニットを移動させてズーミング動作が行われるようにして機構の簡素化を確保した上で高変倍化を図る技術分野に関する。
【背景技術】
【０００２】
ビデオカメラやスチルカメラ等の各種の撮像装置には撮影機能を有するレンズ鏡筒が設けられている。このようなレンズ鏡筒は、近年、各種の電子機器、例えば、携帯電話、パーソナルコンピューター、ＰＤＡ（Personal Digital Assistant）等にも組み込まれ用途の拡大が図られている。
【０００３】
一般に、レンズ鏡筒は対物レンズ等の固定レンズ、フォーカスレンズやズームレンズ等の可動レンズを有する可動ユニット、固定レンズ及び可動レンズを介して取り込まれた撮影信号を画像信号に変換する撮像素子等の各部が外筐の内外に配置されることにより構成されている。
【０００４】
近年、撮像装置にあっては、小型化の要請及び機能性の向上のためのズーム倍率における高変倍化の要請が高い。
【０００５】
撮像装置には、上記した小型化を図るために、光学系の光路がプリズムや反射ミラー等の折曲部材によって、例えば、９０°折り曲げられ、第１の光軸と第２の光軸の直交する二つの光軸が設定されたものがある（例えば、特許文献１参照）。このような光路が折り曲げられた撮像装置にあっては、直交する第１の光軸と第２の光軸を撮像装置のケース体に対して所定の向きに設定することにより、小型化を図ることが可能である。
【０００６】
一方、特許文献１に記載された撮像装置は、ズーム倍率の高変倍化を図るために、撮影時にレンズ等の光学系を構成するユニットの一部がケース体から突出されるように構成されている。特許文献１に記載された撮像装置にあっては、撮影時に対物レンズを有する撮影ユニットがケース体から突出されるため、その分、光学全長が長くなり、ズーミング動作における高変倍化を図ることが可能となる。
【０００７】
【特許文献１】特開２００３−２６２９０７号公報
【発明の開示】
【発明が解決しようとする課題】
【０００８】
ところが、特許文献１に記載された従来の撮像装置にあっては、撮影時に撮影ユニットをケース体から突出させる機構が独立して構成されており、他の機構、例えば、ズーミング動作を行うために可動レンズを光軸方向へ移動させる機構とは各別に設けられている。
【０００９】
従って、撮影時に対物レンズを有する撮影ユニットがケース体から突出されるためズーミング動作における高変倍化を図ることは可能であるが、ケース体の内部の各機構がそれぞれ独立して配置されているため、撮像装置に設けられる機構が複雑であると言う問題がある。
【００１０】
そこで、本発明レンズ鏡筒及び撮像装置は、上記した問題点を克服し、機構の簡素化を確保した上で高変倍化を図ることを課題とする。
【課題を解決するための手段】
【００１１】
レンズ鏡筒は、上記した課題を解決するために、光路が所定の方向へ折り曲げられ第１の光軸方向と該第１の光軸方向に対して折り曲げられた第２の光軸方向とが設定され、可動レンズと該可動レンズを保持するレンズホルダーとを有し前記第２の光軸方向へ移動可能とされた少なくとも一つの可動ユニットと、光軸方向が前記第１の光軸方向に設定された対物レンズと前記光路を折り曲げる折曲部材とがレンズケースに配置されたレンズユニットと、前記レンズユニット及び前記少なくとも一つの可動ユニットを前記第２の光軸方向へ移動させる移動機構とを設け、前記レンズユニットを前記第２の光軸方向における光学全長が最小とされる第１の位置と前記第２の光軸方向における前記光学全長が最大とされる第２の位置との間で移動させ、前記レンズユニットが前記第２の位置に移動された状態において、前記移動機構によって前記少なくとも一つの可動ユニットが前記第２の光軸方向へ移動されて画像の撮影倍率を変更するズーミング動作が行われるようにしたものである。
【００１２】
従って、レンズ鏡筒にあっては、レンズユニットが第２の位置に移動された状態において可動ユニットが第２の光軸方向へ移動されてズーミング動作が行われる。
【００１３】
上記したレンズ鏡筒において、さらなる機構の簡素化を図るために、前記移動機構に所定の方向へ動作可能なカム部材を設け、前記カム部材の動作によって前記レンズユニット及び前記可動ユニットの前記第２の光軸方向における移動が行われるようにすることが望ましい。
【００１４】
また、レンズ鏡筒においては、前記カム部材として回転可能なカム筒を用い、前記カム筒の回転軸方向を前記第２の光軸方向に一致させるようにして、スペースの有効活用を図ることが可能である。
【００１５】
さらに、レンズ鏡筒において、スペース効率の向上の観点から、前記カム部材として前記第１の光軸方向に直交し前記第２の光軸方向に直交する方向へ移動可能とされたカム板を用いることが可能である。
【００１６】
レンズ鏡筒においては、手動で操作可能なマニュアル操作部に対する操作によって前記カム部材を動作させることが可能である。マニュアル操作部を用いることにより、省電力化が図られる。
【００１７】
また、レンズ鏡筒において、レンズユニットのカム部材からの脱落を防止するために、前記カム部材に複数のカム溝を形成し、前記レンズユニットにカム溝に摺動自在に係合されるカムピンを設け、前記カムピンを金属材料によって形成することが好ましい。
【００１８】
さらに、レンズ鏡筒において、レンズユニットのカム部材からの脱落を防止するために、前記カム部材に複数のカム溝を形成し、前記レンズユニットカム溝に摺動自在に係合されるカムピンを設け、前記カムピンを複数設けることが望ましい。
【００１９】
さらにまた、レンズ鏡筒において、レンズユニットのカム部材からの脱落を防止するために、前記カム部材に複数のカム溝を形成し、前記レンズユニットにカム溝に摺動自在に係合されるカムピンを設け、前記カムピンが係合される前記カム部材のカム溝の開口縁に、前記カムピンの前記カム溝からの脱落を防止するリブを設けることが可能である。
【００２０】
加えて、レンズ鏡筒において、レンズユニットのカム部材からの脱落を防止するために、前記カム部材に複数のカム溝を形成し、前記レンズユニット及び前記可動ユニットにそれぞれ各カム溝に摺動自在に係合されるカムピンを設け、前記レンズユニットの前記カムピンの外形状を前記可動ユニットのカムピンの外形状より大きくしることが可能である。
【００２１】
撮像装置は、上記した課題を解決するために、光路が所定の方向へ折り曲げられ第１の光軸方向と該第１の光軸方向に対して折り曲げられた第２の光軸方向とが設定され、可動レンズと該可動レンズを保持するレンズホルダーとを有し前記第２の光軸方向へ移動可能とされた少なくとも一つの可動ユニットと、光軸方向が前記第１の光軸方向に設定された対物レンズと前記光路を折り曲げる折曲部材とがレンズケースに配置されたレンズユニットと、前記レンズユニット及び前記少なくとも一つの可動ユニットを前記第２の光軸方向へ移動させる移動機構とを設け、前記レンズユニットを前記第２の光軸方向における光学全長が最小とされる第１の位置と前記第２の光軸方向における前記光学全長が最大とされる第２の位置との間で移動させ、前記レンズユニットが前記第２の位置に移動された状態において、前記移動機構によって前記少なくとも一つの可動ユニットが前記第２の光軸方向へ移動されて画像の撮影倍率を変更するズーミング動作が行われるようにしたものである。
【００２２】
従って、撮像装置にあっては、レンズユニットが第２の位置に移動された状態において可動ユニットが第２の光軸方向へ移動されてズーミング動作が行われる。
【００２３】
上記した撮像装置において、薄型化を図るために、前記第２の光軸方向を前記ケース体の厚み方向に直交する方向とし、前記レンズユニットが前記第１の位置において前記ケース体に収納され前記第２の位置において前記ケース体から突出されるようにすることが好ましい。
【００２４】
また、撮像装置においては、撮像装置の使い勝手の向上を図るために、前記第１の光軸方向を前記ケース体の厚み方向とすることが望ましい。
【００２５】
さらに、撮像装置においては、画像を撮影する撮影モードと撮影した画像を再生する再生モードとのモード切替が可能とされ、前記撮影モードにおいて電源が投入されたときに前記レンズユニットが前記第１の位置から前記第２の位置に移動され、前記再生モードにおいて電源が投入されたときに前記レンズユニットが前記第１の位置に保持されるようにすることにより、動作の効率化を図ることが可能である。
【００２６】
撮像装置にあっては、さらなる機構の簡素化を図るために、前記移動機構に所定の方向へ動作可能なカム部材を設け、前記カム部材の動作によって前記レンズユニット及び前記可動ユニットの前記第２の光軸方向における移動が行われるようにすることが望ましい。
【００２７】
また、撮像装置において、前記カム部材として回転可能なカム筒を用い、前記カム筒の回転軸方向を前記ケース体の厚み方向に直交する方向に一致させるようにすることにより、撮像装置の薄型化を図ることが可能となる。
【００２８】
さらに、撮像装置においては、前記カム部材として厚み方向が前記ケース体の厚み方向に一致するカム板を用い、前記カム板の移動方向を該カム板の厚み方向に直交する方向とすることにより、撮像装置の薄型化を図るようにしてもよい。
【００２９】
撮像装置においては、手動で操作可能なマニュアル操作部に対する操作によって前記カム部材を動作させるようにすることが可能である。マニュアル操作部を用いることにより、省電力化が図られる。
【００３０】
また、撮像装置において、前記マニュアル操作部として、前記ケース体に対してスライドすることにより前記対物レンズを開閉するスライドカバーを用いることにより、部品点数の削減による製造コストの低減を図ることが可能となる。
【発明の効果】
【００３１】
本発明レンズ鏡筒は、外筐の内部に配置された複数のレンズと該複数のレンズを介して撮影信号として取り込まれた撮影光を画像信号に変換する撮像素子とを有すると共に光路が所定の方向へ折り曲げられ第１の光軸方向と該第１の光軸方向に対して折り曲げられた第２の光軸方向とが設定されたレンズ鏡筒であって、可動レンズと該可動レンズを保持するレンズホルダーとを有し前記第２の光軸方向へ移動可能とされた少なくとも一つの可動ユニットと、光軸方向が前記第１の光軸方向に設定された対物レンズと前記光路を折り曲げる折曲部材とがレンズケースに配置されたレンズユニットと、前記レンズユニット及び前記少なくとも一つの可動ユニットを前記第２の光軸方向へ移動させる移動機構とを備え、前記レンズユニットを前記第２の光軸方向における光学全長が最小とされる第１の位置と前記第２の光軸方向における前記光学全長が最大とされる第２の位置との間で移動させ、前記レンズユニットが前記第２の位置に移動された状態において、前記移動機構によって前記少なくとも一つの可動ユニットが前記第２の光軸方向へ移動されて画像の撮影倍率を変更するズーミング動作が行われるようにしたことを特徴とする。
【００３２】
従って、撮影時に光学全長が長くなる方向へレンズユニットが移動されると共にレンズユニットを移動させる機構とズーミング動作を行う機構とが同一の移動機構であるため、機構の簡素化が図られ、機構の簡素化を確保した上でズーミング動作における高変倍化を図ることができる。
【００３３】
請求項２に記載した発明にあっては、前記移動機構に所定の方向へ動作可能なカム部材を設け、前記カム部材の動作によって前記レンズユニット及び前記可動ユニットの前記第２の光軸方向における移動が行われるようにしたので、構造が複雑とならず、機構の簡素化を図ることができる。
【００３４】
請求項３に記載した発明にあっては、前記カム部材として回転可能なカム筒を用い、前記カム筒の回転軸方向を前記第２の光軸方向に一致させるようにしたので、スペースの有効活用が図られ、レンズ鏡筒の小型化を図ることができる。
【００３５】
請求項４に記載した発明にあっては、前記カム部材として前記第１の光軸方向に直交し前記第２の光軸方向に直交する方向へ移動可能とされたカム板を用いたので、レンズユニット及び可動ユニットの移動方向と異なる方向へカム板が移動され、レンズユニット及び可動ユニットとカム板が干渉せず、スペース効率の向上による小型化を図ることができる。
【００３６】
請求項５に記載した発明にあっては、手動で操作可能なマニュアル操作部に対する操作によって前記カム部材を動作させるようにしたので、モーターやリードスクリュー等のカム部材を駆動のための部品を必要とせず、部品点数の削減、小型化及び省電力化を図ることができる。
【００３７】
請求項６に記載した発明にあっては、前記カム部材に複数のカム溝を形成し、前記レンズユニット及び前記可動ユニットにそれぞれ各カム溝に摺動自在に係合されるカムピンを設け、前記レンズユニットに設けた前記カムピンを金属材料によって形成したので、カムピンの強度が高く、レンズユニットのカム部材からの脱落を防止することができる。
【００３８】
請求項７に記載した発明にあっては、前記カム部材に複数のカム溝を形成し、前記レンズユニット及び前記可動ユニットにそれぞれ各カム溝に摺動自在に係合されるカムピンを設け、前記レンズユニットの前記カムピンを複数設けたので、カムピンがカム溝から脱落し難く、レンズユニットのカム部材からの脱落を防止することができる。
【００３９】
請求項８に記載した発明にあっては、前記カム部材に複数のカム溝を形成し、前記レンズユニット及び前記可動ユニットにそれぞれ各カム溝に摺動自在に係合されるカムピンを設け、前記レンズユニットの前記カムピンが係合される前記カム部材のカム溝の開口縁に、前記カムピンの前記カム溝からの脱落を防止するリブを設けたので、カムピンのカム溝からの脱落の可能性が小さく、レンズユニットのカム部材からの脱落を防止することができる。
【００４０】
請求項９に記載した発明にあっては、前記カム部材に複数のカム溝を形成し、前記レンズユニット及び前記可動ユニットにそれぞれ各カム溝に摺動自在に係合されるカムピンを設け、前記レンズユニットの前記カムピンの外形状を前記可動ユニットのカムピンの外形状より大きくしたので、レンズユニットのカム部材からの脱落を防止することができる。
【００４１】
本発明撮像装置は、ケース体の内部に、外筐の内部に配置された複数のレンズと該複数のレンズを介して撮影信号として取り込まれた撮影光を画像信号に変換する撮像素子とを有すると共に光路が所定の方向へ折り曲げられ第１の光軸方向と該第１の光軸方向に対して折り曲げられた第２の光軸方向とが設定されたレンズ鏡筒が配置された撮像装置であって、可動レンズと該可動レンズを保持するレンズホルダーとを有し前記第２の光軸方向へ移動可能とされた少なくとも一つの可動ユニットと、光軸方向が前記第１の光軸方向に設定された対物レンズと前記光路を折り曲げる折曲部材とがレンズケースに配置されたレンズユニットと、前記レンズユニット及び前記少なくとも一つの可動ユニットを前記第２の光軸方向へ移動させる移動機構とを備え、前記レンズユニットを前記第２の光軸方向における光学全長が最小とされる第１の位置と前記第２の光軸方向における前記光学全長が最大とされる第２の位置との間で移動させ、前記レンズユニットが前記第２の位置に移動された状態において、前記移動機構によって前記少なくとも一つの可動ユニットが前記第２の光軸方向へ移動されて画像の撮影倍率を変更するズーミング動作が行われるようにしたことを特徴とする。
【００４２】
従って、撮影時に光学全長が長くなる方向へレンズユニットが移動されると共にレンズユニットを移動させる機構とズーミング動作を行う機構とが同一の移動機構であるため、機構の簡素化が図られ、機構の簡素化を確保した上でズーミング動作における高変倍化を図ることができる。
【００４３】
請求項１１に記載した発明にあっては、前記第２の光軸方向を前記ケース体の厚み方向に直交する方向とし、前記レンズユニットが前記第１の位置において前記ケース体に収納され前記第２の位置において前記ケース体から突出されるようにしたので、撮像装置の薄型化を図ることができる。
【００４４】
請求項１２に記載した発明にあっては、前記第１の光軸方向を前記ケース体の厚み方向としたので、対物レンズの光軸方向がケース体の厚み方向に一致され、使用者が厚み方向を被写体の撮影方向として撮像装置を把持することができ、撮影時の使い勝手の向上を図ることができる。
【００４５】
請求項１３に記載した発明にあっては、画像を撮影する撮影モードと撮影した画像を再生する再生モードとのモード切替が可能とされ、前記撮影モードにおいて電源が投入されたときに前記レンズユニットが前記第１の位置から前記第２の位置に移動され、前記再生モードにおいて電源が投入されたときに前記レンズユニットが前記第１の位置に保持されるようにしたので、必要なモードにおいてのみレンズユニットが移動されるため、動作の効率化を図ることができる。
【００４６】
請求項１４に記載した発明にあっては、前記移動機構に所定の方向へ動作可能なカム部材を設け、前記カム部材の動作によって前記レンズユニット及び前記可動ユニットの前記第２の光軸方向における移動が行われるようにしたので、構造が複雑とならず、機構の簡素化を図ることができる。
【００４７】
請求項１５に記載した発明にあっては、前記カム部材として回転可能なカム筒を用い、前記カム筒の回転軸方向を前記ケース体の厚み方向に直交する方向に一致させるようにしたので、撮像装置の薄型化を図ることができる。
【００４８】
請求項１６に記載した発明にあっては、前記カム部材として厚み方向が前記ケース体の厚み方向に一致するカム板を用い、前記カム板の移動方向を該カム板の厚み方向に直交する方向としたので、撮像装置の薄型化を図ることができる。
【００４９】
請求項１７に記載した発明にあっては、手動で操作可能なマニュアル操作部に対する操作によって前記カム部材を動作させるようにしたので、モーターやリードスクリュー等のカム部材を駆動のための部品を必要とせず、部品点数の削減、小型化及び省電力化を図ることができる。
【００５０】
請求項１８に記載した発明にあっては、前記マニュアル操作部として、前記ケース体に対してスライドすることにより前記対物レンズを開閉するスライドカバーを用いたので、ズーミングを行うための部材と対物レンズを開閉するための部材とを各別に設ける必要がなく、部品点数の削減による製造コストの低減を図ることができる。
【発明を実施するための最良の形態】
【００５１】
以下に、本発明レンズ鏡筒及び撮像装置を実施するための最良の形態を添付図面に従って説明する。
【００５２】
以下に示した最良の形態は、本発明撮像装置をスチルカメラに適用し、本発明レンズ鏡筒をこのスチルカメラに組み込まれたレンズ鏡筒に適用したものである。尚、本発明の適用範囲はスチルカメラ又はこれに組み込まれたレンズ鏡筒に限られることはなく、例えば、ビデオカメラ、パーソナルコンピューター、ＰＤＡ（Personal Digital Assistant）、携帯電話等の撮像装置として用いられる各種の装置又はこれらの各種の装置に組み込まれたレンズ鏡筒に広く適用することができる。
【００５３】
以下の説明にあっては、撮像装置の撮影時において撮影者から見た方向で前後上下左右の方向を示すものとする。従って、被写体側が前方となり、撮影者側が後方となる。
【００５４】
尚、以下に示す前後上下左右の方向は説明の便宜上のものであり、本発明の実施に関しては、これらの方向に限定されることはない。
【００５５】
先ず、第１の最良の形態について説明する（図１乃至図１８参照）。
【００５６】
撮像装置（スチルカメラ）１は、横長の扁平なケース体２の内外に所要の各部が配置されて成る（図１乃至図４参照）。ケース体２はフロントパネル３とリアパネル４が前後で結合されて成る。
【００５７】
ケース体２の前面における上端部にはフラッシュ５が設けられている（図２参照）。ケース体２の上面には内部に連通する挿通孔２ａが形成されている。ケース体２の前面には上下に長いピン挿通孔２ｂが形成されている（図３参照）。
【００５８】
ケース体２の上面にはシャッター釦６、電源釦７及びマイクロフォン８が設けられている。
【００５９】
ケース体２の後面には表示パネル９が配置されている（図４参照）。表示パネル９としては、例えば、液晶表示パネルが用いられている。
【００６０】
ケース体２の後面には、ズーム摘子１０、操作釦１１、１１、・・・、モード切替摘子１２及びスピーカー１３が設けられている。ズーム摘子１０は撮影時のズーミング動作を行うために撮影倍率を変更する摘子である。操作釦１１、１１、・・・としては、例えば、画面の表示の切替等を行う画面表示釦、各種のメニューの切替を行うメニュー釦、メニューの選択等を行うための方向釦、画面のサイズの切替や撮影画像の削除等を行う機能釦等が設けられている。モード切替摘子１２は、例えば、画像を撮影する撮影モードと撮影した画像を再生する再生モードとの切替を行う摘子である。
【００６１】
ケース体２の前面にはスライドカバー１４が上下方向へスライド自在に支持されている（図１乃至図３参照）。スライドカバー１４には、図３に示すように、後方へ突出された操作ピン１４ａが設けられ、該操作ピン１４ａがケース体２のピン挿通孔２ｂに挿入されている。
【００６２】
スライドカバー１４はフラッシュ５及びケース体２の上端部において昇降される後述するレンズユニットを閉塞する閉塞位置（図１参照）とフラッシュ５及びレンズユニットを開放する開放位置（図２参照）との間で移動される。
【００６３】
スライドカバー１４は使用者によって手動でスライド動作される。スライドカバー１４が閉塞位置から開放位置へ向けて下方へスライド動作されると、例えば、このスライド動作の開始直後に操作ピン１４ａによってケース体２の内部に設けられた図示しない起動スイッチが操作されて該起動スイッチの状態が切り替えられる。逆に、スライドカバー１４が開放位置から閉塞位置へ向けて上方へスライド動作されると、このスライド動作の開始直後にも操作ピン１４ａによって起動スイッチが操作されて該起動スイッチの状態が切り替えられる。
【００６４】
ケース体２の内部にはレンズ鏡筒１５が配置されている（図３参照）。
【００６５】
以下に、撮像装置１の全体の構成を図５に示すブロック図を参照して説明する。
【００６６】
撮像装置１は、全体の制御を司る記録再生回路部２００と、該記録再生回路部２００を駆動するためのプログラムメモリー、データーメモリー、その他のＲＡＭ（Random Access Memory）やＲＯＭ（Read Only Member）等を有する内蔵メモリー２０１と、撮影された画像等を所定の信号に処理する画像信号処理部２０２と、撮影された画像等を表示する上記した表示パネル９と、記憶容量を拡大する外部メモリー２０３と、レンズ鏡筒１５を駆動制御するレンズ鏡筒制御部２０４等を備えている。
【００６７】
記録再生回路部２００は、例えば、ＣＰＵ（Central Processing Unit）等のマイクロコンピューターを有する演算回路等を備えている。記録再生回路部２００には、内蔵メモリー２０１と画像信号処理部２０２とレンズ鏡筒制御部２０４とパネル駆動部２０５と第１のインターフェース２０６と第２のインターフェース２０７が接続されている。
【００６８】
画像信号処理部２０２は、レンズ鏡筒１５に設けられた後述する撮像素子に増幅器２０８を介して接続されている。画像信号処理部２０２によって所定の画像信号に処理された信号が記録再生回路部２００に入力される。
【００６９】
表示パネル９はパネル駆動部２０５を介して記録再生回路部２００に接続されている。
【００７０】
第１のインターフェース２０６にはコネクター２０９が接続され、該コネクター２０９に外部メモリー２０３が着脱自在に接続される。
【００７１】
第２のインターフェース２０７には、ケース体２に設けられた図示しない接続端子が接続されている。
【００７２】
レンズ鏡筒制御部２０４には、レンズ鏡筒１５を駆動制御するレンズ駆動部２１０が接続されている。レンズ駆動部２１０は、例えば、後述する可動レンズを有する可動ユニットを光軸方向へ移動させてズーム動作やフォーカス動作を行う機能を有する。
【００７３】
以上のように構成された撮像装置１において、被写体の像が画像信号としてレンズ鏡筒１５の光学系を構成する各種のレンズを介して撮像素子に入力されると、入力された画像信号が増幅器２０８を介して画像信号処理部２０２に入力される。画像信号処理部２０２に入力された画像信号は、該画像信号処理部２０２によって所定の処理が行われて記録再生回路部２００に入力される。
【００７４】
記録再生回路部２００に所定の処理が行われて生成された信号が入力されると、記録再生回路部２００から被写体の像に対応した信号がパネル駆動部２０５、内蔵メモリー２０１又は第１のインターフェース２０６及び第２のインターフェース２０７を介して外部メモリー２０３に出力される。従って、パネル駆動部２０５を介して表示パネル９に被写体の像に対応した画像が表示され、又は、必要に応じて情報信号として内蔵メモリー２０１若しくは外部メモリー２０３に画像データーが記録される。
【００７５】
レンズ鏡筒１５は樹脂材料によって形成された外筐１６に所要の各部が配置されて成る（図６参照）。外筐１６は上ハーフ１７と下ハーフ１８が上下で結合されて成る。
【００７６】
上ハーフ１７は下方に開口された箱状に形成され、上端部に配置用切欠１７ａを有している。
【００７７】
下ハーフ１８は上方に開口された箱状に形成され、下端部における左右両端部を除く部分に、下方へ突出された突出部１９を有している。
【００７８】
外筐１６の内部における左端部にはそれぞれ上下に延びる第１のガイド軸２０と第２のガイド軸２１が保持されている（図７及び図８参照）。第１のガイド軸２０及び第２のガイド軸２１は前後に離隔して配置されている。
【００７９】
外筐１６の内部における左端部には上下に延びるカム筒２２が回転自在に支持されている。カム筒２２は、後述するレンズユニット等を動作させるカム部材として用いられ、カム円筒部２３と回転軸２４とから成り、該回転軸２４の上下両端部がそれぞれカム円筒部２３の上面又は下面から上方又は下方へ突出されている。カム筒２２は回転軸２４の上下両端部がそれぞれ上ハーフ１７の上面部と図示しない支持部に支持されている。
【００８０】
カム円筒部２３の外周面には第１のカム溝２５、２５と第２のカム溝２６と第３のカム溝２７が形成されている（図７乃至図１０参照）。
【００８１】
第１のカム溝２５、２５はカム円筒部２３の上端部に上下に離隔して形成されている。第１のカム溝２５は、一方の周方向へ行くに従って上方へ変位する傾斜部２５ａと、該傾斜部２５ａの上端部に連続し水平に延びる水平部２５ｂとから成り、該水平部２５ｂの終端が傾斜部２５ａの始端の略真上に位置されている。
【００８２】
第２のカム溝２６はカム円筒部２３の上下方向における略中央部に形成されている。第２のカム溝２６は、一方の周方向へ行くに従って上方へ変位する第１の傾斜部２６ａ、と該第１の傾斜部２６ａの上端部に連続し一方の周方向へ行くに従って下方へ変位する第２の傾斜部２６ｂとから成り、第１の傾斜部２６ａの始端が第２の傾斜部２６ｂの終端の略真上に位置されている。
【００８３】
第３のカム溝２７はカム円筒部２３の下端寄りの位置に形成されている。第３のカム溝２７は、水平に延びる水平部２７ａと該水平部２７ａの終端部に連続し一方の周方向へ行くに従って上方へ変位する傾斜部２７ｂとから成り、該傾斜部２７ｂの終端が水平部２７ａの始端の略真上に位置されている。
【００８４】
第１のカム溝２５、２５の溝幅は第２のカム溝２６及び第３のカム溝２７の溝幅より稍広くされている。
【００８５】
カム筒２２のカム円筒部２３の下端部には、その全周にラックギヤ部２８が形成されている。カム円筒部２３には、第１のカム溝２５、２５の水平部２５ｂ、２５ｂの下側開口縁にそれぞれ外方へ突出されたリブ２９、３０が設けられている。
【００８６】
外筐１６には、例えば、その右端部における下半部に駆動機構３１が配置されている（図７及び図８参照）。駆動機構３１はブラケット３２と該ブラケット３２に回転自在に支持されたリードスクリュー３３と駆動モーター３４によって構成されている。ブラケット３２は上下に延び左右方向を向くベース部３２ａと該ベース部３２ａの上下両端部からそれぞれ左方へ突出された上側支持部３２ｂ及び下側支持部３２ｃとから成る。
【００８７】
リードスクリュー３３は上下方向に延び、上下両端部がそれぞれ上側支持部３２ｂと下側支持部３２ｃに支持されている。
【００８８】
駆動モーター３４は下側支持部３２ｃの下面に固定され、モーター軸がリードスクリュー３３に連結されている。駆動モーター３４は下ハーフ１８の突出部１９の右方に位置される。
【００８９】
外筐１６の上ハーフ１７の下端部には、固定ユニット３５が配置されている。固定ユニット３５は、図１１に示すように、保持ケース３６と該保持ケース３６の内部に保持された固定レンズ３７及びアイリス３８とを有している。
【００９０】
保持ケース３６には上下に貫通された光透過孔３６ａが形成されている。保持ケース３６の右端部は、図７及び図８に示すように、上ハーフ１７より右方へ突出され、この右端部に開閉用モーター３９が取り付けられている。
【００９１】
アイリス３８は、図１１に示すように、固定レンズ３７の下側に配置され、該固定レンズ３７を透過された光の量を制御する機能を有する。アイリス３８は、例えば、複数の回動可能な羽根部材３８ａ、３８ａ、・・・を有し、該羽根部材３８ａ、３８ａ、・・・が開閉用モーター３９の駆動力によって回動されて光量の制御が行われる。
【００９２】
尚、上記には、固定ユニット３５にアイリス３８を設けた例を示したが、アイリス３８に代えてシャッターを配置することも可能である。
【００９３】
上ハーフ１７の上面部と固定ユニット３５の保持ケース３６との間には、上下に延びる第１の案内軸４０が配置されている（図７、図８及び図１１参照）。
【００９４】
外筐１６の下ハーフ１８の下端部には、ブレ補正ユニット４１が配置されている。ブレ補正ユニット４１は、収納ケース４２と該収納ケース４２の内部に保持された補正用レンズ４３及び図示しないレンズ駆動機構とを有している。
【００９５】
補正用レンズ４３は撮影時における画像のブレ補正を行うためのレンズであり、レンズ駆動機構によって水平な面内において直交する２方向へ移動可能とされている。
【００９６】
ブレ補正ユニット４１の下側には撮像ユニット４４が配置されている。撮像ユニット４４は下ハーフ１８の突出部１９に配置されている。撮像ユニット４４は、配置ケース４５の内部に所要の各部が配置されて成り、配置ケース４５には撮像素子４６が配置されている。撮像素子４６としては、例えば、ＣＣＤ（Charge Coupled Device）又はＣＭＯＳ（Complementary Metal Oxide Semiconductor）が用いられている。
【００９７】
外筐１６の内部における下端部には、その左端部にカム駆動機構４７が配置されている。カム駆動機構４７はカム駆動モーター４８と減速ギヤ群４９と伝達ギヤ５０とを有している。減速ギヤ群４９と伝達ギヤ５０は噛合されている。カム駆動モーター４８は下ハーフ１８の突出部１９の左方に位置されている。
【００９８】
カム駆動機構４７においては、カム駆動モーター４８の回転により減速ギヤ群４９を介して伝達ギヤ５０が回転される。伝達ギヤ５０はカム筒２２の下端部に形成されたラックギヤ部２８に噛合されている。従って、カム駆動モーター４８の駆動力により伝達ギヤ５０が回転されると、カム駆動モーター４８の回転方向に応じた方向へカム筒２２が回転される。
【００９９】
固定ユニット３５とブレ補正ユニット４１の間にはそれぞれ第２の案内軸５１と第３の案内軸５２が配置されている。第２の案内軸５１と第３の案内軸５２は前後に離隔して配置されている。
【０１００】
第１のガイド軸２０と第１の案内軸４０にはレンズユニット５３が摺動自在に支持されている（図７及び図８参照）。レンズユニット５３はレンズケース５４の内部に所要の各部が配置されて成り、レンズケース５４の内部には対物レンズ５５と折曲部材５６とレンズ５７が配置されている。レンズユニット５３は上ハーフ１７の配置用切欠１７ａに対応して位置されている。
【０１０１】
レンズケース５４はケース部５８と該ケース部５８の左右両側面にそれぞれ設けられた軸受部５９、６０と軸受部５９から前方へ突出された被検出部６１とを有している。
【０１０２】
ケース部５８は前方及び下方に開口された箱状に形成され（図１１参照）、前面部の下端側の部分が前面部の他の部分より後方に位置する段差部５８ａとして形成されている。ケース部５８にはレンズ窓５８ｂが形成されている。
【０１０３】
左側に位置する軸受部５９は上下に長い筒状に形成されている（図７及び図８参照）。軸受部５９には上下に離隔してカムピン６２、６２が設けられている。カムピン６２、６２は、例えば、軸受部５９とは別体で形成された金属材料から成り、軸受部５９に一部が埋め込まれた状態で設けられている（図９参照）。
【０１０４】
レンズユニット５３は軸受部５９、６０がそれぞれ第１のガイド軸２０と第１の案内軸４０に摺動自在に支持されている（図７及び図８参照）。
【０１０５】
レンズユニット５３が第１のガイド軸２０と第１の案内軸４０に支持された状態において、カムピン６２、６２がそれぞれカム筒２２の第１のカム溝２５、２５に摺動自在に係合される（図９参照）。従って、レンズユニット５３は、カム筒２２の回転によって第１のカム溝２５、２５に対するカムピン６２、６２の係合位置が変化することにより、第１のガイド軸２０と第１の案内軸４０に案内されて上下方向へ移動される。
【０１０６】
対物レンズ５５は光軸方向が前後方向とされるように配置され、対物レンズ５５の光軸方向は第１の光軸方向Ｐ１とされる（図１１参照）。対物レンズ５５は前面がケース部５８のレンズ窓５８ｂに臨ませられている。
【０１０７】
ケース部５８の前面には対物レンズ５５の外周部を遮蔽する遮光板５８ｃが貼着されている。
【０１０８】
折曲部材５６は対物レンズ５５の後側に配置されている（図１１参照）。折曲部材５６としては、例えば、プリズム又は反射ミラーが用いられ、折曲部材５６によって対物レンズ５５を透過された光の経路が９０°下方へ折り曲げられる。
【０１０９】
レンズ５７は折曲部材５６の下側に配置され、光軸方向が上下方向とされている。レンズ５７の光軸方向は第２の光軸方向Ｐ２とされる。第２の光軸方向Ｐ２はレンズユニット５３が移動される方向である。
【０１１０】
第２のガイド軸２１と第１の案内軸４０には、レンズユニット５３の下方において第１の可動ユニット６３が摺動自在に支持されている（図８参照）。第１の可動ユニット６３は第１の可動レンズ６４と該第１の可動レンズ６４を保持する第１のレンズホルダー６５とによって構成されている（図１１参照）。
【０１１１】
第１のレンズホルダー６５には左右両端部にそれぞれ軸受部６５ａ、６５ｂが設けられ（図８参照）、左側に位置する軸受部６５ａは上下に長い筒状に形成されている。軸受部６５ａの下端部にはカムピン６６が設けられている。カムピン６６は樹脂材料によって、例えば、軸受部６５ａと一体に形成されている（図９参照）。
【０１１２】
第１の可動ユニット６３は軸受部６５ａ、６５ｂがそれぞれ第２のガイド軸２１と第１の案内軸４０に摺動自在に支持されている（図８参照）。
【０１１３】
第１の可動ユニット６３が第２のガイド軸２１と第１の案内軸４０に支持された状態において、カムピン６６がカム筒２２の第２のカム溝２６に摺動自在に係合される（図９参照）。従って、第１の可動ユニット６３は、カム筒２２の回転によって第２のカム溝２６に対するカムピン６６の係合位置が変化することにより、第２のガイド軸２１と第１の案内軸４０に案内されて上下方向（第２の光軸方向Ｐ２）へ移動される。
【０１１４】
第１のガイド軸２０と第３の案内軸５２には、固定ユニット３５の下方において第２の可動ユニット６７が摺動自在に支持されている（図７及び図８参照）。第２の可動ユニット６７は第２の可動レンズ６８と該第２の可動レンズ６８を保持する第２のレンズホルダー６９とによって構成されている。
【０１１５】
第２のレンズホルダー６９には左右両端部にそれぞれ軸受部６９ａ、６９ｂが設けられ、左側に位置する軸受部６９ａは上下に長い筒状に形成されている。軸受部６９ａの上端部にはカムピン７０が設けられている。カムピン７０は樹脂材料によって、例えば、軸受部６９ａと一体に形成されている（図９参照）。
【０１１６】
第２の可動ユニット６７は軸受部６９ａ、６９ｂがそれぞれ第１のガイド軸２０と第３の案内軸５２に摺動自在に支持されている（図７及び図８参照）。
【０１１７】
第２の可動ユニット６７が第１のガイド軸２０と第３の案内軸５２に支持された状態において、カムピン７０がカム筒２２の第３のカム溝２７に摺動自在に係合される（図９参照）。従って、第２の可動ユニット６７は、カム筒２２の回転によって第３のカム溝２７に対するカムピン７０の係合位置が変化することにより、第１のガイド軸２０と第３の案内軸５２に案内されて上下方向（第２の光軸方向Ｐ２）へ移動される。
【０１１８】
上記したように、レンズユニット５３、第１の可動ユニット６３及び第２の可動ユニット６７は、カム駆動機構４７のカム駆動モーター４８の駆動力が伝達されるカム筒２２の回転によって第２の光軸方向Ｐ２へ移動される。従って、カム筒２２及びカム駆動機構４７はレンズユニット５３、第１の可動ユニット６３及び第２の可動ユニット６７を移動させる移動機構８０として機能する。
【０１１９】
第２のガイド軸２１と第２の案内軸５１には、第２の可動ユニット６７とブレ補正ユニット４４の間において第３の可動ユニット７１が摺動自在に支持されている（図７及び図８参照）。第３の可動ユニット７１は第３の可動レンズ７２と該第３の可動レンズ７２を保持する第３のレンズホルダー７３とによって構成されている。
【０１２０】
第３のレンズホルダー７３には左右両端部にそれぞれ軸受部７３ａ、７３ｂが設けられ、左側に位置する軸受部７３ａは上下に長い筒状に形成されている。右側の軸受部７３ｂには前方へ突出された被検出部７４が設けられている。第３のレンズホルダー７３の右端部には螺溝を有するナット部７３ｃが設けられている。
【０１２１】
第３の可動ユニット７１は軸受部７３ａ、７３ｂがそれぞれ第２のガイド軸２１と第２の案内軸５１に摺動自在に支持されている。
【０１２２】
第３の可動ユニット７１が第２のガイド軸２１と第２の案内軸５１に支持された状態において、第３のレンズホルダー７３のナット部７３ｃが駆動機構３１のリードスクリュー３３に螺合される。従って、第３の可動ユニット７１は、駆動モーター３４の駆動力によってリードスクリュー３３が回転されてナット部７３ｃが送られることにより、第２のガイド軸２１と第２の案内軸５１に案内されて上下方向へ移動される。
【０１２３】
外筐１５の内部には上下に離隔して位置検出センサー７５、７６が配置されている。位置検出センサー７５、７６としては、例えば、フォトインタラプターが用いられている。位置検出センサー７５、７６にはそれぞれスリット７５ａ、７６ａが形成されている。位置検出センサー７５、７６は、それぞれスリット７５ａ、７６ａにレンズユニット５３の被検出部６１と第３の可動ユニット７１の被検出部７４が挿入されたときに、レンズユニット５３と第３の可動ユニット７１の位置検出を行う機能を有する。
【０１２４】
尚、位置検出センサー７５、７６として、フォトインタラプターに代えてフォトリフレクターを用いることも可能である。
【０１２５】
以下に、レンズ鏡筒１５の動作について説明する。
【０１２６】
先ず、レンズユニット５３がケース体２に収納された第１の位置にある状態について説明する（図１、図６及び図７参照）。第１の位置は上記第２の光軸方向Ｐ２における光学全長が最小とされた位置である。
【０１２７】
レンズユニット５３がケース体２に収納された状態においては、図１に示すように、スライドカバー１４が閉塞位置にあり、フラッシュ５及びレンズユニット５３がスライドカバー１４によって前方から閉塞されている。
【０１２８】
カム筒２２は一方の回転端にあり、図１２に示すように、レンズユニット５３のカムピン６２、６２はそれぞれカム筒２２の第１のカム溝２５、２５における傾斜部２５ａ、２５ａの下端に係合されている。従って、レンズユニット５３は移動範囲における下端である第１の位置にに保持されている（図６、図７及び図１１参照）。
【０１２９】
第１の可動ユニット６３のカムピン６６は、図１２に示すように、カム筒２２の第２のカム溝２６における第１の傾斜部２６ａの下端に係合されている。
【０１３０】
第２の可動ユニット６７のカムピン７０はカム筒２２の第３のカム溝２７における水平部２７ａの傾斜部２７ｂとは反対側の一端に係合されている。
【０１３１】
レンズユニット５３が上記した第１の位置にありスライドカバー１４が閉塞位置にある状態において、使用者によってスライドカバー１４が押し下げられると、上記したように、スライドカバー１４の操作ピン１４ａによってケース体２の内部に設けられた起動スイッチの状態が切り替えられると共に撮像装置１に電源が投入される。起動スイッチの状態が切り替えられると、カム駆動モーター４８が起動されカム筒２２の回転が開始される。
【０１３２】
カム筒２２が回転されると、レンズユニット５３のカムピン６２、６２がそれぞれ第１のカム溝２５、２５の傾斜部２５ａ、２５ａの上端まで移動される（図１３参照）。従って、レンズユニット５３は第１の位置から上記第２の光軸方向Ｐ２における光学全長が最大とされる第２の位置まで上方へ移動され、ケース体２から上方へ突出される（図２、図８、図１４及び図１５参照）。
【０１３３】
レンズユニット５３の移動時には、段差部５４ａが外筐１６の前面に摺動されるため、上ハーフ１７の配置用切欠１７ａからの外筐１６の内部への塵埃の侵入が防止される。
【０１３４】
尚、レンズユニット５３の外面のうち、第２の位置まで移動されたときに露出される部分には塗装等が施されており、美観の向上が図られている。
【０１３５】
同時に、カム筒２２の回転により、図１３に示すように、第１の可動ユニット６３のカムピン６６が第２のカム溝２６の第１の傾斜部２６ａの上端まで移動され、第２の可動ユニット６７のカムピン７０が第３のカム溝２７の水平部２７ａの傾斜部２７ｂ側の一端まで移動される。従って、第１の可動ユニット６３は上方へ移動されるが、第２の可動ユニット６７は移動されない。
【０１３６】
カム駆動モーター４８は、レンズユニット５３、第１の可動ユニット６３及び第２の可動ユニット６７が上記した各位置に至ったときに一旦停止され、カム筒２２の回転が一旦停止される。このカム筒２２が一旦停止されたときのレンズユニット５３、第１の可動ユニット６３及び第２の可動ユニット６７の上記した各位置がズーミング動作における広角端とされる（図１４参照）。
【０１３７】
このときスライドカバー１４は下方側の移動端である開放位置まで移動され、フラッシュ５が開放される（図２参照）。スライドカバー１４が開放位置まで移動されると共にレンズユニット５３が第２の位置まで移動されることにより、使用者による撮影が可能な状態とされる。
【０１３８】
続いて、ズーム摘子１０が操作されると、再びカム駆動モーター４８の回転が開始され、カム筒２２の回転が開始される。
【０１３９】
カム駆動モーター４８はズーム摘子１０の操作方向に応じた方向へ回転され、カム駆動モーター４８の回転に伴ってカム筒２２が回転されることにより、レンズユニット５３のカムピン６２、６２がそれぞれ第１のカム溝２５、２５の水平部２５ｂ、２５ｂを移動され、第１の可動ユニット６３のカムピン６６が第２のカム溝２６の第２の傾斜部２６ｂを移動され、第２の可動ユニット６７のカムピン７０が第３のカム溝２７の傾斜部２７ｂを移動される。従って、レンズユニット５３は移動されず第２の位置に保持され、第１の可動ユニット６３及び第２の可動ユニット６７はカム筒２２の回転方向に応じて上下方向へ移動される。
【０１４０】
例えば、ズーム摘子１０の操作によってカム筒２２が上記と同じ方向へ回転端まで回転されると、図１６に示すように、レンズユニット５３のカムピン６２、６２がそれぞれ第１のカム溝２５、２５の水平部２５ｂ、２５ｂにおける傾斜部２５ａ、２５ａと反対側の一端まで移動され、第１の可動ユニット６３のカムピン６６が第２のカム溝２６の第２の傾斜部２６ｂの下端まで移動され、第２の可動ユニット６７のカムピン７０が第３のカム溝２７の傾斜部２７ｂの上端まで移動される。このレンズユニット５３、第１の可動ユニット６３及び第２の可動ユニット６７の上記した各位置がズーミング動作における望遠端とされる（図１７参照）。
【０１４１】
上記したズーミング動作においては、同時に、第３の可動ユニット７１も駆動モーター３４の駆動力によって上下方向へ移動される。また、第３の可動ユニット７１はフォーカス調整が行われるときにおいても、駆動モーター３４の駆動力によって上下方向へ移動される。
【０１４２】
第３の可動ユニット７１が上方側の移動端に至るときには、軸受部７３ｂに設けられた被検出部７４が位置検出センサー７６のスリット７６ａに挿入され、位置検出センサー７６によって第３の可動ユニット７１が上方側の移動端に至ったか否かの位置検出が行われる。
【０１４３】
位置検出センサー７６によって検出された第３の可動ユニット７１の位置は初期位置とされ、この初期位置を基準として駆動モーター３４の回転方向及び回転量が制御される。
【０１４４】
逆に、上記した広角端の状態において、使用者によってスライドカバー１４が押し上げられると、上記したように、スライドカバー１４の操作ピン１４ａによってケース体２の内部に設けられた起動スイッチの状態が切り替えられる。起動スイッチの状態が切り替えられると、カム駆動モーター４８が起動されカム筒２２の回転が開始される。カム筒２２は上記とは逆方向へ回転される。
【０１４５】
このときレンズユニット５３のカムピン６２、６２はそれぞれ第１のカム溝２５、２５の傾斜部２５ａ、２５ａの上端に係合され、第１の可動ユニット６３のカムピン６６は第２のカム溝２６の第１の傾斜部２６ａの上端に係合され、第２の可動ユニット６７のカムピン７０は第３のカム溝２７の水平部２７ａの傾斜部２７ｂ側の一端に係合されている。
【０１４６】
カム筒２２が逆方向へ回転端まで回転されると、レンズユニット５３のカムピン６２、６２がそれぞれ第１のカム溝２５、２５の傾斜部２５ａ、２５ａの下端まで移動される（図１２参照）。従って、レンズユニット５３は第２の位置から上記第２の光軸方向Ｐ２における光学全長が最小とされる第１の位置まで下方へ移動され、ケース体２に収納される（図１及び図６参照）。
【０１４７】
同時に、カム筒２２の回転により、図１２に示すように、第１の可動ユニット６３のカムピン６６が第２のカム溝２６の第１の傾斜部２６ａの下端まで移動され、第２の可動ユニット６７のカムピン７０が第３のカム溝２７の水平部２７ａの傾斜部２７ｂと反対側の一端まで移動される。従って、第１の可動ユニット６３は下方へ移動されるが、第２の可動ユニット６７は移動されない。
【０１４８】
カム駆動モーター４８は、レンズユニット５３、第１の可動ユニット６３及び第２の可動ユニット６７が上記した各位置に至ったときに停止され、カム筒２２の回転が停止される。
【０１４９】
このときスライドカバー１４は上方側の移動端である閉塞位置まで移動され、フラッシュ５及びレンズユニット５３が閉塞される（図１参照）。スライドカバー１４が閉塞位置まで移動されると共にレンズユニット５３が第１の位置まで移動されることにより、使用者による撮影が不能な状態とされる。スライドカバー１４が閉塞位置に至ることにより、撮像装置１に対する電源が遮断される。
【０１５０】
レンズユニット５３が第２の位置から第１の位置に至るときには、軸受部５９に設けられた被検出部６１が位置検出センサー７５のスリット７５ａに挿入され、位置検出センサー７５によってレンズユニット５３が第１の位置に至ったか否かの位置検出が行われる。
【０１５１】
位置検出センサー７５によって検出されたレンズユニット５３の位置は初期位置とされ、この初期位置を基準としてカム駆動モーター４８の回転方向及び回転量が制御される。
【０１５２】
尚、撮像装置１にあっては、モード切替摘子１２を操作することにより、画像を撮影する撮影モードと撮影した画像を再生する再生モードとのモード切替が可能とされており、撮影モードにおいて電源が投入されたときにはレンズユニット５３が第１の位置から第２の位置に移動されるが、再生モードにおいて電源が投入されたときにはレンズユニット５３が第１の位置に保持されるようにされている。
【０１５３】
従って、必要なモードにおいてのみカム駆動モーター４８が回転されてレンズユニット５３がケース体２から突出されるため、省電力化及び動作の効率化を図ることができる。
【０１５４】
上記したように、レンズ鏡筒１５にあっては、レンズユニット５３に設けられたカムピン６２、６２を金属材料によって形成しているので、カムピン６２、６２の強度が高く、例えば、撮像装置１の落下時等に特に衝撃が付与され易いケース体２から突出可能なレンズユニット５３のカム筒２２からの脱落を防止することができる。
【０１５５】
また、複数のカムピン６２、６２が設けられているため、カムピン６２、６２がカム筒２２の第１のカム溝２５、２５から脱落し難く、レンズユニット５３のカム筒２２からの脱落を防止することができる。
【０１５６】
さらに、カム筒２２の第１のカム溝２５、２５における開口縁にそれぞれリブ２９、３０を設けているため、カムピン６２、６２のカム筒２２の第１のカム溝２５、２５からの脱落の可能性が小さく、レンズユニット５３のカム筒２２からの脱落を防止することができる。
【０１５７】
上記には、カム駆動モーター４８によってレンズユニット５３等を動作させる例を示したが、例えば、以下に示す変形例のように、ケース体の前面にマニュアル操作部として用いられるスライド摘子を設けてカム部材として用いられたカム筒を回転させてレンズユニット等を動作させることも可能である（図１８参照）。
【０１５８】
変形例にあっては、ケース体２Ａの前面に設けられたスライド摘子７７が、例えば、上下方向へ操作可能とされ、カム部材としてカム筒２２Ａが用いられている。スライド摘子７７にはケース体２Ａの内部へ突出された図示しない連結突部が設けられ、該連結突部に上下に延びるラック部が形成されている。
【０１５９】
カム筒２２Ａの外周面にはカム筒２２と同様の第１のカム溝２５、第２のカム溝２６及び第３のカム溝２７が形成され、第１のカム溝２５と第２のカム溝２６と第３のカム溝２７にそれぞれレンズユニット５３のカムピン６２と第１の可動ユニット６３のカムピン６６と第２の可動ユニット６７のカムピン７０が摺動自在に係合されている。従って、カム筒２２Ａが回転されると、レンズユニット５３、第１の可動ユニット６３及び第２の可動ユニット６７は、カム筒２２が回転されたときと同様に動作される。
【０１６０】
カム筒２２Ａの下端部には、すり鉢状に形成されたラック部２２ａが形成されている。カム筒２２Ａのラック部２２ａには、かさば歯車７８が噛合され該かさば歯車７８には伝達ギヤ７９が噛合されている。伝達ギヤ７９にはスライド摘子７７の連結突部に形成されたラック部が噛合されている。
【０１６１】
スライド摘子７７を手動で上下方向へ操作することにより、スライド摘子７７のラック部と噛合された伝達ギヤ７９及びかさば歯車７８を介してカム筒２２Ａが回転される。カム筒２２Ａが回転されたときのレンズユニット５３等の動作はカム筒２２が回転されたときの動作と同様であるので省略する。
【０１６２】
この変形例においては、カム筒２２Ａ及びスライド摘子７７がレンズユニット５３等の各部を動作させるための移動機構８１として機能する。
【０１６３】
上記した変形例にあっては、手動で操作可能なマニュアル操作部として用いられたスライド摘子７７に対する操作によってカム部材として用いられたカム筒２２Ａが動作されるようにしているため、モーターやリードスクリュー等の駆動用の部品を必要とせず、部品点数の削減、小型化及び省電力化を図ることができる。
【０１６４】
また、手動によりカム筒２２Ａを動作させているため、大きな減速比を得るためのギヤ群が不要となり、また、カム筒２２Ａに形成された第１のカム溝２５、第２のカム溝２６及び第３のカム溝２７の傾斜角を大きくすることが可能であり、カム筒２２Ａの軸方向及び外径の小型化が図られ、撮像装置１の全体の小型化を図ることができる。
【０１６５】
加えて、手動によりズーミング動作が行われるため、ズーミング動作の高速化を図ることができる。
【０１６６】
次に、第２の最良の形態について説明する（図１９乃至図３７参照）。尚、以下に示す第２の最良の形態に係る撮像装置１Ａは、上記した撮像装置１と比較して、レンズユニット等を動作させるカム部材としてカム板が用いられていること、レンズ鏡筒の構成が相違すること及びカム板が手動によって動作されるマニュアル操作部に対する操作によって動作されることが相違するため、撮像装置１と比較して異なる部分についてのみ詳細に説明をし、その他の部分については撮像装置１における同様の部分に付した符号と同じ符号を付して簡単に説明する。
【０１６７】
撮像装置（スチルカメラ）１Ａは、横長の扁平なケース体２Ａの内外に所要の各部が配置されて成る（図１９及び図２０参照）。ケース体２Ａの前面には上下に長いピン挿通孔２ｃが形成されている。
【０１６８】
ケース体２Ａの前面にはスライドカバー１４Ａが上下方向へスライド自在に支持されている。スライドカバー１４Ａには後方へ突出された操作ピン１４ａが設けられ、該操作ピン１４ａがケース体２Ａのピン挿通孔２ｃに挿入されている。
【０１６９】
スライドカバー１４Ａはフラッシュ５及びケース体２Ａの上端部において昇降される後述するレンズユニットを閉塞する閉塞位置（図２１参照）とフラッシュ５及びレンズユニットを開放する開放位置（図２２参照）との間で移動され、閉塞位置と開放位置の間に中間位置（図２３参照）が存在する。中間位置においてもフラッシュ５及びレンズユニットが開放されるが、閉塞位置から中間位置の間でレンズユニットがケース体２Ａに対して移動され、中間位置から開放位置の間ではレンズユニットがケース体２Ａに対して移動されない。
【０１７０】
スライドカバー１４Ａは、使用者によって手動でスライド動作されるマニュアル操作部として用いられている。
【０１７１】
スライドカバー１４Ａが閉塞位置から開放位置へ向けてスライド動作されると、このスライド動作に伴って撮像装置１Ａに電源が投入される。
【０１７２】
ケース体２Ａの内部にはレンズ鏡筒１５Ａが配置されている（図１９及び図２０参照）。
【０１７３】
レンズ鏡筒１５Ａは樹脂材料によって形成された外筐１０１に所要の各部が配置されて成る。外筐１０１は上下に長く形成され、後方に開口された箱状に形成されている。外筐１０１の上端部には配置用切欠１０１ａが形成されている。
【０１７４】
外筐１０１の前面には上下に二つずつの案内突部１０２、１０２、・・・が設けられている。
【０１７５】
外筐１０１の前面には、左右方向における略中央部に上下に長いカムピン挿通孔１０３が形成されている。カムピン挿通孔１０３は上端側の部分が他の部分より横幅の大きな幅広部１０３ａとして形成され、他の部分が幅狭部１０３ｂとして形成されている。
【０１７６】
外筐１０１の前面には、上下に離隔して摺動突条１０４、１０４が設けられている。摺動突条１０４、１０４は左右方向に長く形成されている。
【０１７７】
外筐１０１の案内突部１０２、１０２、・・・にはカム部材として用いられたカム板１０５が左右方向へ移動自在に支持されている。カム板１０５は移動時に摺動突条１０４、１０４に摺動され、外筐１０１の前面に摺動されるより接触面積が小さくされて円滑に移動される。
【０１７８】
カム板１０５の略右半部には駆動用カム溝１０６が形成され、該駆動用カム溝１０６は右方へ行くに従って下方へ変位するように傾斜されている（図２１及び図２４参照）。カム板１０５が外筐１０１の案内突部１０２、１０２、・・・に支持された状態において、駆動用カム溝１０６にスライドカバー１４Ａの操作ピン１４ａが摺動自在に係合される。従って、カム板１０５は、スライドカバー１４Ａの上下方向への移動によって駆動用カム溝１０６に対する操作ピン１４ａの係合位置が変化することにより、案内突部１０２、１０２、・・・に案内されて左右方向へ移動される。
【０１７９】
カム板１０５の略左半部には上側から順に第１のカム溝１０７、第２のカム溝１０８、第３のカム溝１０９、第４のカム溝１１０及び第５のカム溝１１２が形成されている。
【０１８０】
第１のカム溝１０７は、右方へ行くに従って上方へ変位する傾斜部１０７ａと、該傾斜部１０７ａの上端部に連続し水平に延びる水平部１０７ｂとから成る。
【０１８１】
第２のカム溝１０８は、右方へ行くに従って上方へ変位する第１の傾斜部１０８ａと、該第１の傾斜部１０８ａの上端部に連続し右方へ行くに従って下方へ変位する第２の傾斜部１０８ｂとから成る。
【０１８２】
第３のカム溝１０９は、水平に延びる水平部１０９ａと、該水平部１０９ａの右端部に連続し右方へ行くに従って下方へ変位する傾斜部１０９ｂとから成る。
【０１８３】
第４のカム溝１１０は、水平に延びる水平部１１０ａと、該水平部１１０ａの右端部に連続し右方へ行くに従って上方へ変位する傾斜部１１０ｂとから成る。
【０１８４】
第５のカム溝１１１は、水平に延びる水平部１１１ａと、該水平部１１１ａの右端部に連続し右方へ行くに従って上方へ変位する傾斜部１１１ｂとから成る。
【０１８５】
外筐１０１の内部における左端部には、図２０及び図２５に示すように、それぞれ上下に延びる第１のガイド軸１１２と第２のガイド軸１１３が保持されている。第１のガイド軸１１２及び第２のガイド軸１１３は前後に離隔して配置されている。
【０１８６】
外筐１０１の下端部には、ブレ補正ユニット１１４が配置されている。ブレ補正ユニット１１４は、収納ケース１１５と該収納ケース１１５の内部に保持された補正用レンズ１１６及び図示しないレンズ駆動機構とを有している。
【０１８７】
補正用レンズ１１６は撮影時における画像のブレ補正を行うためのレンズであり、レンズ駆動機構によって水平な面内において直交する２方向へ移動可能とされている。
【０１８８】
ブレ補正ユニット１１４の下側には撮像素子１１７が配置されている。撮像素子１１７としては、例えば、ＣＣＤ（Charge Coupled Device）又はＣＭＯＳ（Complementary Metal Oxide Semiconductor）が用いられている。
【０１８９】
外筐１０１の内部における右端部には上下に延びる案内軸１１８が配置されている。
【０１９０】
第１のガイド軸１１２と案内軸１１８にはレンズユニット１１９が摺動自在に支持されている。レンズユニット１１９はレンズケース１２０の内部に所要の各部が配置されて成り、レンズケース１２０の内部には対物レンズ５５と折曲部材５６とレンズ５７が配置されている。レンズユニット１１９は外筐１０１の配置用切欠１０１ａに対応して位置されている。
【０１９１】
レンズケース１２０はケース部１２１と該ケース部１２１の左右両側面にそれぞれ設けられた軸受部１２２、１２３とを有している。
【０１９２】
ケース部１２１は前方及び下方に開口された箱状に形成され、前面部の下端側の部分が前面部の他の部分より後方に位置する段差部１２１ａとして形成されている。ケース部１２１にはレンズ窓１２１ｂが形成されている。
【０１９３】
ケース部１２１の段差部１２１ａには下方に開口され上下に延びる挿入用スリット１２１ｃが形成されている。
【０１９４】
左側に位置する軸受部１２２は上下に長い筒状に形成されている。ケース部１２１の下端部における前面には前方へ突出されたカムピン１２４が設けられている。カムピン１２４は、例えば、横長の長円状又は小判状に形成されている。
【０１９５】
レンズユニット１１９は軸受部１２２、１２３がそれぞれ第１のガイド軸１１２と案内軸１１８に摺動自在に支持されている。
【０１９６】
レンズユニット１１９が第１のガイド軸１１２と案内軸１１８に支持された状態において、カムピン１２４が外筐１０１のカムピン挿通孔１０３を挿通されてカム板１０５の第１のカム溝１０７に摺動自在に係合される（図２６参照）。従って、レンズユニット１１９は、カム板１０５の移動によって第１のカム溝１０７に対するカムピン１２４の係合位置が変化することにより、第１のガイド軸１１２と案内軸１１８に案内されて上下方向へ移動される。
【０１９７】
対物レンズ５５は光軸方向が前後方向とされるように配置され、前面がケース部１２１のレンズ窓１２１ｂに臨ませられている。折曲部材５６は対物レンズ５５の後側に配置され、レンズ５７は折曲部材５６の下側に配置されている。
【０１９８】
第１のガイド軸１１２と案内軸１１８には、図２０及び図２５に示すように、レンズユニット１１９の下方において第１の可動ユニット１２５が摺動自在に支持されている。第１の可動ユニット１２５は第１の可動レンズ１２６と該第１の可動レンズ１２６を保持する第１のレンズホルダー１２７とによって構成されている。
【０１９９】
第１のレンズホルダー１２７には左右両端部にそれぞれ軸受部１２７ａ、１２７ｂが設けられ、左側に位置する軸受部１２７ａは上下に長い筒状に形成されている。第１のレンズホルダー１２７の前面にはカムピン１２８が設けられている。
【０２００】
第１の可動ユニット１２５は軸受部１２７ａ、１２７ｂがそれぞれ第１のガイド軸１１２と案内軸１１８に摺動自在に支持されている。
【０２０１】
第１の可動ユニット１２５が第１のガイド軸１１２と案内軸１１８に支持された状態において、カムピン１２８が外筐１０１のカムピン挿通孔１０３を挿通されてカム板１０５の第２のカム溝１０８に摺動自在に係合される（図２６参照）。従って、第１の可動ユニット１２５は、カム板１０５の移動によって第２のカム溝１０８に対するカムピン１２８の係合位置が変化することにより、第１のガイド軸１１２と案内軸１１８に案内されて上下方向へ移動される。
【０２０２】
第１の可動ユニット１２５が上下方向へ移動されるときには、カムピン１２８がレンズユニット１１９のケース部１２１に形成された挿入用スリット１２１ｃに挿入可能とされている。
【０２０３】
第２のガイド軸１１３と案内軸１１８には、図２０及び図２５に示すように、第１の可動ユニット１２５の下方において第２の可動ユニット１２９が摺動自在に支持されている。第２の可動ユニット１２９は第２の可動レンズ１３０と該第２の可動レンズ１３０を保持する第２のレンズホルダー１３１と該第２のレンズホルダー１３１の内部に配置された図示しない羽根部材とを有している。羽根部材は光量を制御するアイリス又はシャッターとして機能する。
【０２０４】
第２のレンズホルダー１３１上には羽根部材を動作させるためのモーター１３２が配置されている。
【０２０５】
第２のレンズホルダー１３１には左右両端部にそれぞれ軸受部１３１ａ、１３１ｂが設けられ、左側に位置する軸受部１３１ａは上下に長い筒状に形成されている。第２のレンズホルダー１３１の前面にはカムピン１３３が設けられている。
【０２０６】
第２のレンズホルダー１３１は軸受部１３１ａ、１３１ｂがそれぞれ第２のガイド軸１１３と案内軸１１８に摺動自在に支持されている。
【０２０７】
第２の可動ユニット１２９が第２のガイド軸１１３と案内軸１１８に支持された状態において、カムピン１３３が外筐１０１のカムピン挿通孔１０３を挿通されてカム板１０５の第３のカム溝１０９に摺動自在に係合される（図２６参照）。従って、第２の可動ユニット１２９は、カム板１０５の移動によって第３のカム溝１０９に対するカムピン１３３の係合位置が変化することにより、第２のガイド軸１１３と案内軸１１８に案内されて上下方向へ移動される。
【０２０８】
また、第２の可動ユニット１２９においては、モーター１３２の駆動により羽根部材が動作されて光量の制御が行われる。
【０２０９】
第１のガイド軸１１２と案内軸１１８には、図２０及び図２５に示すように、第２の可動ユニット１２９の下方において第３の可動ユニット１３４が摺動自在に支持されている。第３の可動ユニット１３４は第３の可動レンズ１３５と該第３の可動レンズ１３５を保持する第３のレンズホルダー１３６とによって構成されている。
【０２１０】
第３のレンズホルダー１３６には左右両端部にそれぞれ軸受部１３６ａ、１３６ｂが設けられ、左側に位置する軸受部１３６ａは上下に長い筒状に形成されている。第３のレンズホルダー１３６の前面にはカムピン１３７が設けられている。
【０２１１】
第３の可動ユニット１３４は軸受部１３６ａ、１３６ｂがそれぞれ第１のガイド軸１１２と案内軸１１８に摺動自在に支持されている。
【０２１２】
第３の可動ユニット１３４が第１のガイド軸１１２と案内軸１１８に支持された状態において、カムピン１３７が外筐１０１のカムピン挿通孔１０３を挿通されてカム板１０５の第４のカム溝１１０に摺動自在に係合される（図２６参照）。従って、第３の可動ユニット１３４は、カム板１０５の移動によって第４のカム溝１１０に対するカムピン１３７の係合位置が変化することにより、第１のガイド軸１１２と案内軸１１８に案内されて上下方向へ移動される。
【０２１３】
第２のガイド軸１１３と案内軸１１８には、図２０及び図２５に示すように、第４の可動ユニット１３４の下方において第４の可動ユニット１３８が摺動自在に支持されている。第４の可動ユニット１３８は、図２７に示すように、ベース体１３９と該ベース体１３９上に上下方向へ移動自在に支持されたレンズブロック１４０とを有している。
【０２１４】
ベース体１３９の左右両端部にはそれぞれ軸受部１３９ａ、１３９ｂが設けられ、左側に位置する軸受部１３９ａは上下に長い筒状に形成されている。ベース体１３９には左右に離隔してそれぞれ上方へ突出されたガイド軸部１３９ｃ、１３９ｄが設けられている。ベース体１３９の前面にはカムピン１４１が設けられている。
【０２１５】
ベース体１３９上には送りモーター１４２、連結ギヤ１４３、１４３及び送りネジ１４４が配置され、連結ギヤ１４３、１４３及び送りネジ１４４はベース体１３９に対して回転可能とされている。
【０２１６】
連結ギヤ１４３、１４３は互いに噛合され、一方の連結ギヤ１４３が送りモーター１４２のモーター軸に噛合され、他方の連結ギヤ１４３が送りネジ１４４に噛合されている。従って、送りモーター１４２の駆動力が連結ギヤ１４３、１４３を介して送りネジ１４４に伝達されると、該送りネジ１４４が送りモーター１４２の回転方向に応じた方向へ回転される。
【０２１７】
レンズブロック１４０は第４の可動レンズ１４５と該第４の可動レンズ１４５を保持する第４のレンズホルダー１４６とを有している。第４のレンズホルダー１４６には左右に離隔して軸受部１４６ａ、１４６ｂが設けられ、該軸受部１４６ａ、１４６ｂがそれぞれベース体１３９のガイド軸部１３９ｃ、１３９ｄに摺動自在に支持されている。
【０２１８】
第４のレンズホルダー１４６には軸受部１４６ｂから右方へ突出されたナット部１４６ｃが設けられ、該ナット部１４６ｃが送りネジ１４４に螺合されている。従って、送りネジ１４４が送りモーター１４２の駆動力によって回転されると、送りネジ１４４の回転方向へ応じた方向へナット部１４６ｃが送られ、レンズブロック１４０がガイド軸部１３９ｃ、１３９ｄに案内されて上下方向へ移動される。レンズブロック１４０の上下方向への移動は、フォーカシングの際に行われる。
【０２１９】
第４の可動ユニット１３８は、図２０及び図２５に示すように、ベース体１３９の軸受部１３９ａ、１３９ｂがそれぞれ第２のガイド軸１１３と案内軸１１８に摺動自在に支持されている。
【０２２０】
第４の可動ユニット１３８が第２のガイド軸１１３と案内軸１１８に支持された状態において、カムピン１４１が外筐１０１のカムピン挿通孔１０３を挿通されてカム板１０５の第５のカム溝１１１に摺動自在に係合される（図２６参照）。従って、第４の可動ユニット１３８は、カム板１０５の移動によって第５のカム溝１１１に対するカムピン１４１の係合位置が変化することにより、第２のガイド軸１１３と案内軸１１８に案内されて上下方向へ移動される。
【０２２１】
上記したように、レンズユニット１１９、第１の可動ユニット１２５、第２の可動ユニット１２９、第３の可動ユニット１３４及び第４の可動ユニット１３８は、手動によって操作されるスライドカバー１４Ａの移動力が伝達されるカム板１０５の移動によって動作される。従って、スライドカバー１４Ａ及びカム板１０５はレンズユニット１１９、第１の可動ユニット１２５、第２の可動ユニット１２９、第３の可動ユニット１３４及び第４の可動ユニット１３８を上下方向へ移動させる移動機構１８０として機能する。
【０２２２】
以下に、レンズ鏡筒１５Ａの動作について説明する。
【０２２３】
先ず、レンズユニット１１９がケース体２Ａに収納された第１の位置にある状態について説明する（図２１及び素２６参照）。第１の位置は上記第２の光軸方向Ｐ２における光学全長が最小とされた位置である。
【０２２４】
レンズユニット１１９がケース体２Ａに収納された状態においては、図２１に示すように、スライドカバー１４Ａが閉塞位置にあり、フラッシュ５及びレンズユニット１１９の対物レンズ５５がスライドカバー１４Ａによって前方から閉塞されている。
【０２２５】
カム板１０５は右方の移動端にあり、図２８に示すように、スライドカバー１４Ａの操作ピン１４ａが駆動用カム溝１０６の上端に係合されている。
【０２２６】
レンズユニット１１９のカムピン１２４はカム板１０５の第１のカム溝１０７における傾斜部１０７ａの下端に係合されている。従って、レンズユニット１１９は移動範囲における下端である第１の位置に保持されている（図２１及び図２６参照）。
【０２２７】
第１の可動ユニット１２５のカムピン１２８は、図２８に示すように、カム板１０５の第２のカム溝１０８における第１の傾斜部１０８ａの下端に係合されている。
【０２２８】
第２の可動ユニット１２９のカムピン１３３はカム板１０５の第３のカム溝１０９における水平部１０９ａの傾斜部１０９ｂとは反対側の一端に係合されている。
【０２２９】
第３の可動ユニット１３４のカムピン１３７はカム板１０５の第４のカム溝１１０における水平部１１０ａの傾斜部１１０ｂとは反対側の一端に係合されている。
【０２３０】
第４の可動ユニット１３８のカムピン１４１はカム板１０５の第５のカム溝１１１における水平部１１１ａの傾斜部１１１ｂとは反対側の一端に係合されている。
【０２３１】
レンズユニット１１９が上記した第１の位置にありスライドカバー１４Ａが閉塞位置にある状態において、使用者によってスライドカバー１４Ａが押し下げられると撮像装置１Ａに電源が投入される。
【０２３２】
スライドカバー１４Ａが押し下げられると、操作ピン１４ａが駆動用カム溝１０６を下方へ向けて移動されるため、カム板１０５が左方へ向けて移動される。
【０２３３】
カム板１０５が左方へ移動されていくと、レンズユニット１１９のカムピン１２４が第１のカム溝１０７の傾斜部１０７ａの上端まで移動される（図２９参照）。従って、レンズユニット１１９は第１の位置から上記第２の光軸方向Ｐ２における光学全長が最大とされる第２の位置まで上方へ移動され、ケース体２Ａから上方へ突出される（図２２参照）。
【０２３４】
同時に、カム板１０５の左方への移動により、図２９に示すように、第１の可動ユニット１２５のカムピン１２８が第２のカム溝１０８の第１の傾斜部１０８ａの上端まで移動され、第２の可動ユニット１２９のカムピン１３３が第３のカム溝１０９の水平部１０９ａの傾斜部１０９ｂ側の一端まで移動され、第３の可動ユニット１３４のカムピン１３７が第４のカム溝１１０の水平部１１０ａの傾斜部１１０ｂ側の一端まで移動され、第４の可動ユニット１３８のカムピン１４１が第５のカム溝１１１の水平部１１１ａの傾斜部１１１ｂ側の一端まで移動される。従って、第１の可動ユニット１２５は上方へ移動されるが、第２の可動ユニット１２９、第３の可動ユニット１３４及び第４の可動ユニット１３８は移動されない。
【０２３５】
レンズユニット１１９、第１の可動ユニット１２５、第２の可動ユニット１２９、第３の可動ユニット１３４及び第４の可動ユニット１３８の上記した各位置がズーミング動作における広角端とされる。
【０２３６】
このときスライドカバー１４Ａは中間位置まで移動され（図２２参照）、フラッシュ５が開放される。スライドカバー１４Ａが中間位置まで移動されると共にレンズユニット１１９が第２の位置まで移動されることにより、使用者による撮影が可能な状態とされる。
【０２３７】
続いて、スライドカバー１４Ａが上記中間位置より下方において手動によって移動されると、スライドカバー１４Ａの移動方向に応じて操作ピン１４ａが駆動用カム溝１０６を移動されてカム板１０５が左右方向へ移動される。
【０２３８】
カム板１０５が左右方向へ移動されることにより、レンズユニット１１９のカムピン１２４が第１のカム溝１０７の水平部１０７ｂを移動され、第１の可動ユニット１２５のカムピン１２８が第２のカム溝１０８の第２の傾斜部１０８ｂを移動され、第２の可動ユニット１２９のカムピン１３３が第３のカム溝１０９の傾斜部１０９ｂを移動され、第３の可動ユニット１３４のカムピン１３７が第４のカム溝１１０の傾斜部１１０ｂを移動され、第４の可動ユニット１３８のカムピン１４１が第５のカム溝１１１の傾斜部１１１ｂを移動される。従って、レンズユニット１１９は移動されず第２の位置に保持され、第１の可動ユニット１２５、第２の可動ユニット１２９、第３の可動ユニット１３４及び第４の可動ユニット１３８はカム板１０５の移動方向に応じて上下方向へ移動される。
【０２３９】
例えば、スライドカバー１４Ａに対する使用者の操作によってカム板１０５が移動範囲における左端まで移動されると、図３０に示すように、レンズユニット１１９のカムピン１２４が第１のカム溝１０７の水平部１０７ｂにおける傾斜部１０７ａと反対側の一端まで移動され、第１の可動ユニット１２５のカムピン１２８が第２のカム溝１０８の第２の傾斜部１０８ｂの下端まで移動され、第２の可動ユニット１２９のカムピン１３３が第３のカム溝１０９の傾斜部１０９ｂの下端まで移動され、第３の可動ユニット１３４のカムピン１３７が第４のカム溝１１０の傾斜部１１０ｂの上端まで移動され、第４の可動ユニット１３８のカムピン１４１が第５のカム溝１１１の傾斜部１１１ｂの上端まで移動される。このレンズユニット１１９、第１の可動ユニット１２５、第２の可動ユニット１２９、第３の可動ユニット１３４及び第４の可動ユニット１３８の上記した各位置がズーミング動作における望遠端とされる。
【０２４０】
上記した望遠端とされたときには、スライドカバー１４Ａは開放位置に至る（図２３参照）。
【０２４１】
逆に、レンズユニット１１９が上記した第２の位置にありスライドカバー１４Ａが開放位置にある状態において、使用者によってスライドカバー１４Ａが押し上げられると、操作ピン１４ａがカム板１０５の駆動用カム溝１０６を上方へ向けて移動され、カム板１０５が右方へ向けて移動されていく。
【０２４２】
このときレンズユニット１１９のカムピン１２４は第１のカム溝１０７の水平部１０７ｂにおける傾斜部１０７ａと反対側の一端に係合され、第１の可動ユニット１２５のカムピン１２８が第２のカム溝１０８の第２の傾斜部１０８ｂの下端に係合され、第２の可動ユニット１２９のカムピン１３３が第３のカム溝１０９の傾斜部１０９ｂの下端に係合され、第３の可動ユニット１３４のカムピン１３７が第４のカム溝１１０の傾斜部１１０ｂの上端に係合され、第４の可動ユニット１３８のカムピン１４１が第５のカム溝１１１の傾斜部１１１ｂの上端に係合されている。
【０２４３】
カム板１０５が移動範囲における右方の移動端まで移動されると、レンズユニット１１９のカムピン１２４が第１のカム溝１０７の傾斜部１０７ａの下端まで移動される（図２８参照）。従って、レンズユニット１１９は第２の位置から上記第２の光軸方向Ｐ２における光学全長が最小とされる第１の位置まで下方へ移動され、ケース体２Ａに収納される。
【０２４４】
同時に、カム板１０５の右方への移動により、第１の可動ユニット１２５のカムピン１２８は第２のカム溝１０８の第１の傾斜部１０８ａの下端まで移動され、第２の可動ユニット１２９のカムピン１３３はカム板１０５の第３のカム溝１０９における水平部１０９ａの傾斜部１０９ｂとは反対側の一端まで移動され、第３の可動ユニット１３４のカムピン１３７はカム板１０５の第４のカム溝１１０における水平部１１０ａの傾斜部１１０ｂとは反対側の一端まで移動され、第４の可動ユニット１３８のカムピン１４１はカム板１０５の第５のカム溝１１１における水平部１１１ａの傾斜部１１１ｂとは反対側の一端まで移動される。
【０２４５】
このときスライドカバー１４Ａは上方側の移動端である閉塞位置まで移動され（図２１参照）、フラッシュ５及びレンズユニット１１９の対物レンズ５５が閉塞される。スライドカバー１４Ａが閉塞位置まで移動されると共にレンズユニット１１９が第１の位置まで移動されることにより、使用者による撮影が不能な状態とされる。スライドカバー１４Ａが閉塞位置に至ることにより、撮像装置１Ａに対する電源が遮断される。
【０２４６】
上記には、スライドカバー１４Ａの上下動によりカム板１０５を移動させてレンズユニット１１９等の各部を動作させる例を示したが、このスライドカバー１４Ａの移動時に該スライドカバー１４Ａを所定の位置に停止させるために、スライドカバー１４Ａ等を以下のような構造とすることが可能である（図３１参照）。
【０２４７】
スライドカバー１４Ａには背面に凹部１４ｂが形成されている。
【０２４８】
スライドカバー１４Ａの背面には凹部１４ｂを覆う位置決め板１４７が取り付けられている。位置決め板１４７は弾性変形可能とされ、位置決め板１４７には上下に離隔して複数の位置決め孔１４７ａ、１４７ａ、・・・、１４７ｂが形成されている。位置決め孔１４７ａ、１４７ａ、・・・は等間隔に離隔して形成され、最下方に位置された位置決め孔１４７ｂは位置決め孔１４７ａ、１４７ａ、・・・から所定の距離離隔して形成されている。
【０２４９】
ケース体２Ａの前面には支持凹部２ｃが形成され、該支持凹部２ｃにクリックボール１４８が回転自在に支持されている。
【０２５０】
スライドカバー１４Ａが閉塞位置にある状態において、位置決め板１４７の最下方に位置する位置決め孔１４７ｂにクリックボール１４８が係合されている（図３２参照）。
【０２５１】
スライドカバー１４Ａが閉塞位置から開放位置へ向けて下方へ移動されると、クリックボール１４８の位置決め孔１４７ｂとの係合が解除され、位置決め板１４７がクリックボール１４８に対して下方へ移動される。このときクリックボール１４８は位置決め板１４７の背面に押し付けられ、該位置決め板１４７が弾性変形した状態で下方へ移動される（図３３参照）。
【０２５２】
スライドカバー１４Ａが下方へ移動されていくと、位置決め孔１４７ａ、１４７ａ、・・・のうち最下方に位置する位置決め孔１４７ａにクリックボール１４８が係合される（図３４参照）。従って、使用者には位置決め孔１４７ａにクリックボール１４８が挿入されるときの感触である所謂クリック感が伝達される。この最下方に位置する位置決め孔１４７ａにクリックボール１４８が係合された状態において、スライドカバー１４Ａが中間位置に達し、レンズ鏡筒１５Ａにおいては広角端の状態とされる。
【０２５３】
さらに、スライドカバー１４Ａが下方へ移動されることにより、任意の位置決め孔１４７ａにクリックボール１４８が係合されてスライドカバー１４Ａの移動が停止され、その都度、使用者にクリック感が伝達される。
【０２５４】
最上方に位置する位置決め孔１４７ａにクリックボール１４８が係合されると、スライドカバー１４Ａが開放位置に達し、レンズ鏡筒１５Ａにおいては望遠端の状態とされる（図３５参照）。
【０２５５】
逆に、スライドカバー１４Ａが開放位置から閉塞位置へ向けて上方へ移動されたときにおいても、クリックボール１４８が位置決め孔１４７ａ、１４７ａ、・・・、１４７ｂと係合され、その都度、使用者にクリック感が伝達される。
【０２５６】
このように使用者にクリック感を伝達させる構成を採用することにより、スライドカバー１４Ａの移動位置を使用者が確実に認識することが可能となり、撮像装置１Ａの使い勝手の向上を図ることができる。
【０２５７】
また、レンズ鏡筒１５Ａの広角端と望遠端の位置及びスライドカバー１４Ａの閉塞位置と開放位置が明確となり、操作性の向上を図ることができる。
【０２５８】
撮像装置１Ａにあっては、マニュアル操作部としてケース体２Ａに対してスライドし対物レンズ５５を開閉するスライドカバー１４Ａを用いているため、ズーミングを行うための部材と対物レンズ５５を開閉するための部材とを各別に設ける必要がなく、部品点数の削減による製造コストの低減を図ることができる。
【０２５９】
また、スライドカバー１４Ａは撮影時に常に操作される部材であるため、ズーミング動作を行う場合に、対物レンズ５５の開放動作に連続してスライドカバー１４Ａを操作すればよく、操作性の向上を図ることができる。
【０２６０】
上記には、手動でのスライドカバー１４Ａの上下動によって、カム板１０５に形成された駆動用カム溝１０６に対する操作ピン１４ａの位置が変化することによりカム板１０５が移動される例を示したが、例えば、以下に示す各変形例のように、ケース体の前面にマニュアル操作部として用いられるスライド摘子を設けてカム部材として用いられたカム板又はカム筒を動作させることも可能である。
【０２６１】
第１の変形例にあっては、図３６に示すように、ケース体２Ａの前面に設けられたスライド摘子１４９が左右方向へ操作可能とされ、カム板１０５Ａが外筐１０１に左右方向へ移動自在に支持されている。スライド摘子１４９にはケース体２Ａの内部へ突出された図示しない連結突部が設けられている。
【０２６２】
カム板１０５Ａには、例えば、下端部にスライド摘子１４９の連結突部と連結される連結部１０５ａが設けられている。カム板１０５Ａにはカム板１０５に形成されていた駆動用カム溝１０６は形成されておらず、カム板１０５Ａとスライドカバー１４Ａは連結されていない。
【０２６３】
スライド摘子１４９を手動で左右方向へ操作することにより、カム板１０５Ａが左右方向へ移動される。カム板１０５Ａが移動されたときのレンズ鏡筒１５Ａにおけるレンズユニット１１９等の動作はカム板１０５の場合と同様であるので省略する。
【０２６４】
第１の変形例においては、スライド摘子１４９及びカム板１０５Ａがレンズ鏡筒１５Ａの各部を動作させるための移動機構１８１として機能する。
【０２６５】
第２の変形例にあっては、図３７に示すように、ケース体２Ａの前面に設けられたスライド摘子１５０が上下方向へ操作可能とされ、カム板１０５Ｂが外筐１０１に左右方向へ移動自在に支持されている。スライド摘子１５０にはケース体２Ａの内部へ突出された図示しない連結突部が設けられ、該連結突部に上下に延びるラック部が形成されている。
【０２６６】
カム板１０５Ｂには、例えば、下端部に左右の延びるラックギヤ１０５ｂが形成されている。カム板１０５Ｂにはカム板１０５に形成されていた駆動用カム溝１０６は形成されておらず、カム板１０５Ｂとスライドカバー１４Ａは連結されていない。
【０２６７】
外筐１０１の前面における下端部にはギヤ群１５１が支持され、該ギヤ群１５１の一つのギヤ１５１ａがカム板１０５Ｂのラックギヤ１０５ｂと噛合されている。ギヤ群１５１の他のギヤ１５１ｂはスライド摘子１５０のラック部と噛合されている。
【０２６８】
スライド摘子１５０を手動で上下方向へ操作することにより、ラック部と噛合されたギヤ群１５１が回転されカム板１０５Ｂが左右方向へ移動される。カム板１０５Ｂが移動されたときのレンズ鏡筒１５Ａにおけるレンズユニット１１９等の動作はカム板１０５の場合と同様であるので省略する。
【０２６９】
第２の変形例においては、スライド摘子１５０及びカム板１０５Ｂがレンズ鏡筒１５Ａの各部を動作させるための移動機構１８２として機能する。
【０２７０】
上記したように、撮像装置１Ａにあっては、手動で操作可能なマニュアル操作部として用いられたスライドカバー１４Ａ又はスライド摘子１４９、１５０に対する操作によってカム部材として用いられたカム板１０５、１０５Ａ、１０５Ｂが移動されるようにしているため、モーターやリードスクリュー等の駆動用の部品を必要とせず、部品点数の削減、小型化及び省電力化を図ることができる。
【０２７１】
また、可動ユニットの数を増やすためにカム板１０５、１０５Ａ、１０５Ｂに形成されるカム溝の数を増やした場合においても、手動によりカム板１０５、１０５Ａ、１０５Ｂを動作させることにより、省電力化を確保することができる。
【０２７２】
さらに、手動によりカム板１０５、１０５Ａ、１０５Ｂを動作させているため、大きな減速比を得るためのギヤ群が不要となり、また、第１のカム溝１０７、第２のカム溝１０８、第３のカム溝１０９、第４のカム溝１１０及び第５のカム溝１１１の傾斜角を大きくすることが可能であり、カム板１０５、１０５Ａ、１０５Ｂにおいて外形の小型化が図られ、撮像装置１Ａの全体の小型化を図ることができる。
【０２７３】
加えて、手動によりズーミングの動作が行われるため、ズーミング動作の高速化を図ることができる。
【０２７４】
撮像装置１Ａにあっては、カム部材としてカム板１０５、１０５Ａ、１０５Ｂを用い、該カム板１０５、１０５Ａ、１０５Ｂの厚み方向をケース体２Ａの厚み方向に一致させているため、撮像装置１Ａの薄型化を図ることができる。
【０２７５】
また、レンズ鏡筒１５Ａにあっては、レンズユニット１１９のカムピン１２４を長円状又は小判状に形成し、第１の可動ユニット１２５のカムピン１２８、第２の可動ユニット１２９のカムピン１３３、第３の可動ユニット１３４のカムピン１３７及び第４の可動ユニット１３８のカムピン１４１より外形を大きくしている。従って、例えば、撮像装置１Ａの落下時等に特に衝撃が付与され易いケース体２Ａから突出可能なレンズユニット１１９のカム板１０５、１０５Ａ、１０５Ｂからの脱落を防止することができる。
【０２７６】
以上に記載した通り、撮像装置１、１Ａにあっては、レンズユニット５３、１１９を第２の光軸方向Ｐ２における光学全長が最小とされる第１の位置と第２の光軸方向Ｐ２における光学全長が最大とされる第２の位置との間でカム筒２２、カム筒２２Ａ、カム板１０５、カム板１０５Ａ又はカム板１０５Ｂを有する移動機構８０、８１、１８０、１８１、１８２によって移動させると共に同じ移動機構８０、８１、１８０、１８１、１８２によってズーミング動作が行われるようにしている。
【０２７７】
従って、撮影時にレンズユニット５３、１１９をケース体２、２Ａから突出させる機構とズーミング動作を行う機構とが同一の移動機構８０、８１、１８０、１８１、１８２であるため、撮像装置１、１Ａに設けられる機構の簡素化が図られ、機構の簡素化を確保した上でズーミング動作における高変倍化を図ることができる。
【０２７８】
また、撮像装置１、１Ａにあっては、カム部材として用いられたカム筒２２、カム筒２２Ａ、カム板１０５、カム板１０５Ａ又はカム板１０５Ｂによってレンズユニット５３、１１９等を移動させるようにしているため、構造が複雑とならず、機構の簡素化を図ることができる。
【０２７９】
さらに、レンズユニット５３、１１９等を動作させるカム部材として、回転軸方向が第２の光軸方向Ｐ２に一致されたカム筒２２、２２Ａを設けた場合には、外筐１６、１０１の内部のスペースの有効活用が図られ、レンズ鏡筒１５、１５Ａの小型化を図ることができる。
【０２８０】
さらにまた、撮像装置１、１Ａにあっては、第２の光軸方向Ｐ２がケース体２、２Ａの厚み方向に直交する方向とされ、第２の光軸方向Ｐ２においてレンズユニット５３、１１９が移動されるようにしているため、撮像装置１、１Ａの薄型化を図ることができる。
【０２８１】
加えて、撮像装置１、１Ａにあっては、第１の光軸方向Ｐ１をケース体２、２Ａの厚み方向に一致させるようにしているため、対物レンズ５５の光軸方向がケース体２、２Ａの厚み方向に一致され、使用者が厚み方向を被写体の撮影方向として撮像装置１、１Ａを把持することができ、撮影時の使い勝手の向上を図ることができる。
【０２８２】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２８３】
【図１】図２乃至図１８と共に本発明の第１の最良の形態を示すものであり、本図は、スライドカバーが閉塞位置にある状態を示す撮像装置の斜視図である。
【図２】スライドカバーが開放位置にありレンズユニットが第２の位置に移動された状態を示す撮像装置の斜視図である。
【図３】スライドカバーを取り外した状態で示す撮像装置の斜視図である。
【図４】撮像装置の背面図である。
【図５】撮像装置の構成を示すブロック図である。
【図６】レンズ鏡筒の拡大斜視図である。
【図７】カム筒を取り外した状態で示すレンズ鏡筒の拡大斜視図である。
【図８】レンズ鏡筒の拡大斜視図である。
【図９】カム筒にカムピンが係合されている状態を示す拡大断面図である。
【図１０】カム筒の拡大展開図である。
【図１１】レンズ鏡筒の拡大断面図である。
【図１２】レンズユニットが第１の位置にある状態におけるカムピンのカム溝に対する位置を示す拡大展開図である。
【図１３】レンズユニットが第２の位置にあり広角端の状態におけるカムピンのカム溝に対する位置を示す拡大展開図である。
【図１４】広角端の状態を示すレンズ鏡筒の拡大断面図である。
【図１５】レンズユニットが第２の位置に移動された状態を示すレンズ鏡筒の拡大斜視図である。
【図１６】レンズユニットが第２の位置にあり望遠端の状態におけるカムピンのカム溝に対する位置を示す拡大展開図である。
【図１７】望遠端の状態を示すレンズ鏡筒の拡大断面図である。
【図１８】変形例を示す分解斜視図である。
【図１９】図２０乃至図３７と共に本発明の第２の最良の形態を示すものであり、本図は、撮像装置の分解斜視図である。
【図２０】撮像装置の内部構成を示す拡大分解斜視図である。
【図２１】スライドカバーが閉塞位置にある状態を示す撮像装置の正面図である。
【図２２】スライドカバーが開放位置にある状態を示す撮像装置の正面図である。
【図２３】スライドカバーが中間位置にある状態を示す撮像装置の正面図である。
【図２４】カム板の拡大正面図である。
【図２５】レンズ鏡筒の内部構成を示す拡大斜視図である。
【図２６】カム板がレンズ鏡筒に支持された状態を示す拡大斜視図である。
【図２７】第４の可動ユニットを示す拡大斜視図である。
【図２８】スライドカバーが閉塞位置にありレンズユニットが第１の位置にある状態におけるカムピンのカム溝に対する位置を示す拡大正面図である。
【図２９】スライドカバーが中間位置にありレンズユニットが第２の位置にある状態におけるカムピンのカム溝に対する位置を示す拡大正面図である。
【図３０】スライドカバーが開放位置にありレンズユニットが第２の位置にある状態におけるカムピンのカム溝に対する位置を示す拡大正面図である。
【図３１】図３２乃至図３５と共にスライドカバーの操作時にクリック感が伝達される機構を示すものであり、本図は、クリックボールが最下方に位置する位置決め孔に係合されている状態を示す拡大断面図である。
【図３２】スライドカバーが閉塞位置にある状態を示す正面図である。
【図３３】スライドカバーが移動され位置決め板が弾性変形されている状態を示す拡大断面図である。
【図３４】スライドカバーが中間位置にある状態を示す正面図である。
【図３５】スライドカバーが開放位置にある状態を示す正面図である。
【図３６】第１の変形例を示す分解斜視図である。
【図３７】第２の変形例を示す分解斜視図である。
【符号の説明】
【０２８４】
１…撮像装置、２…ケース体、１４…スライドカバー、１５…レンズ鏡筒、１６…外筐、２２…カム筒、２４…回転軸、２５…第１のカム溝、２６…第２のカム溝、２７…第３のカム溝、２９…リブ、３０…リブ、３５…固定ユニット、４６…撮像素子、５３…レンズユニット、５４…レンズケース、５５…対物レンズ、５６…折曲部材、５７…レンズ、６２…カムピン、６３…第１の可動ユニット、６４…第１の可動レンズ、６６…カムピン、６７…第２の可動ユニット、６８…第２の可動レンズ、７０…カムピン、７１…第３の可動ユニット、７２…第３の可動レンズ、２Ａ…ケース体、２２Ａ…カム筒、８０…移動機構、８１…移動機構、１Ａ…撮像装置、１４Ａ…スライドカバー、１５Ａ…レンズ鏡筒、１０１…外筐、１０５…カム板、１０６…駆動用カム溝、１０７…第１のカム溝、１０８…第２のカム溝、１０９…第３のカム溝、１１０…第４のカム溝、１１１…第５のカム溝、１１７…撮像素子、１１９…レンズユニット、１２０…レンズケース、１２４…カムピン、１２５…第１の可動ユニット、１２６…第１の可動レンズ、１２８…カムピン、１２９…第２の可動ユニット、１３０…第２の可動レンズ、１３３…カムピン、１３４…第３の可動ユニット、１３５…第３の可動レンズ、１３７…カムピン、１３８…第４の可動ユニット、１４１…カムピン、１４５…第４の可動レンズ、１４６…第４のレンズホルダー、１８０…移動機構、１０５Ａ…カム板、１８１…移動機構、１０５Ｂ…カム板、１８２…移動機構
【図１】
2009128712.tif 000003
【図２】
2009128712.tif 000004
【図３】
2009128712.tif 000005
【図４】
2009128712.tif 000006
【図５】
2009128712.tif 000007
【図６】
2009128712.tif 000008
【図７】
2009128712.tif 000009
【図８】
2009128712.tif 000010
【図９】
2009128712.tif 000011
【図１０】
2009128712.tif 000012
【図１１】
2009128712.tif 000013
【図１２】
2009128712.tif 000014
【図１３】
2009128712.tif 000015
【図１４】
2009128712.tif 000016
【図１５】
2009128712.tif 000017
【図１６】
2009128712.tif 000018
【図１７】
2009128712.tif 000019
【図１８】
2009128712.tif 000020
【図１９】
2009128712.tif 000021
【図２０】
2009128712.tif 000022
【図２１】
2009128712.tif 000023
【図２２】
2009128712.tif 000024
【図２３】
2009128712.tif 000025
【図２４】
2009128712.tif 000026
【図２５】
2009128712.tif 000027
【図２６】
2009128712.tif 000028
【図２７】
2009128712.tif 000029
【図２８】
2009128712.tif 000030
【図２９】
2009128712.tif 000031
【図３０】
2009128712.tif 000032
【図３１】
2009128712.tif 000033
【図３２】
2009128712.tif 000034
【図３３】
2009128712.tif 000035
【図３４】
2009128712.tif 000036
【図３５】
2009128712.tif 000037
【図３６】
2009128712.tif 000038
【図３７】
2009128712.tif 000039